(57)【特許請求の範囲】
【請求項１】
初期段階の指標情報から最終段階の指標情報を含む複数の指標情報を段階的に変化させることにより、遊技者にとって有利な特典が付与されることへの期待度の高低を示す指標変化演出を実行可能な遊技機において、
図柄変動ゲームの始動条件を付与する始動手段の入球口に入球した遊技球を始動保留球として記憶する保留記憶手段と、
前記入球口への入球時に、当該入球に基づく図柄変動ゲームが大当りとなるか否か及び大当りとなる場合の大当りの種類を事前に判定する事前判定手段と、
前記事前判定結果が有利度の高い特典を付与する高有利度大当りであった場合、前記事前判定の対象となる対象始動保留球を前記指標情報の変化対象として判定し、前記対象始動保留球に基づく図柄変動ゲームを含む当該図柄変動ゲームに至るまでの前記指標情報の変化を、前記事前判定結果が有利度の低い特典を付与する低有利度大当りであった場合に比して、高確率で有利に推移させる制御手段と、を備え、
前記制御手段は、前記事前判定結果が前記高有利度大当りであった場合には、前記対象始動保留球に基づく図柄変動ゲームで前記最終段階の指標情報を表示可能となるように制御する一方で、前記事前判定結果が前記低有利度大当りであった場合には、前記対象始動保留球に基づく図柄変動ゲームで前記最終段階の指標情報の表示を規制し、前記最終段階よりも前段階の指標情報を表示させるようになっており、
前記指標変化演出では、前記指標情報の属性が異なる複数の指標変化演出が夫々独立して同時に実行されるようになっている一方で、前記高有利度大当りは複数種類設定されており、
前記制御手段は、前記事前判定結果が前記高有利度大当りとなる場合には、前記対象始動保留球に基づく図柄変動ゲームにおいて少なくともいずれか１つの指標変化演出で前記最終段階の指標情報を表示可能となっており、
前記事前判定結果が最も有利度の高い第１高有利度大当りであった場合、前記事前判定結果が前記第１高有利度大当りよりも有利度の低い第２高有利度大当りであった場合に比して、前記最終段階の指標情報の表示数を多く設定したことを特徴とする遊技機。
【請求項２】
初期段階の指標情報から最終段階の指標情報を含む複数の指標情報を段階的に変化させることにより、遊技者にとって有利な特典が付与されることへの期待度の高低を示す指標変化演出を実行可能な遊技機において、
図柄変動ゲームの始動条件を付与する始動手段の入球口に入球した遊技球を始動保留球として記憶する保留記憶手段と、
前記入球口への入球時に、当該入球に基づく図柄変動ゲームが大当りとなるか否か及び大当りとなる場合の大当りの種類を事前に判定する事前判定手段と、
前記事前判定結果が有利度の高い特典を付与する高有利度大当りであった場合、前記事前判定の対象となる対象始動保留球を前記指標情報の変化対象として判定し、前記対象始動保留球に基づく図柄変動ゲームを含む当該図柄変動ゲームに至るまでの前記指標情報の変化を、前記事前判定結果が有利度の低い特典を付与する低有利度大当りであった場合に比して、高確率で有利に推移させる制御手段と、を備え、
前記制御手段は、前記事前判定結果が前記高有利度大当りであった場合には、前記対象始動保留球に基づく図柄変動ゲームで前記最終段階の指標情報を表示可能となるように制御する一方で、前記事前判定結果が前記低有利度大当りであった場合には、前記対象始動保留球に基づく図柄変動ゲームで前記最終段階の指標情報の表示を規制し、前記最終段階よりも前段階の指標情報を表示させるようになっており、
各図柄変動ゲームの実行時点において前記最終段階の予告画像が表示されているか否かに応じて前記指標情報の変化割合を異ならせるようになっており、
前記事前判定結果が前記高有利度大当りであるとともに前記最終段階の指標情報が既に表示されているときには、前記対象始動保留球に基づく図柄変動ゲームで前記最終段階の指標情報を維持させ易くなるように前記変化割合を設定する一方で、前記事前判定結果が前記高有利度大当りであるとともに前記最終段階の指標情報が表示されていないときには、前記対象始動保留球に基づく図柄変動ゲームで前記最終段階の指標情報を表示させ易くなるように前記変化割合を設定し、
前記事前判定結果が前記低有利度大当りであるとともに前記最終段階の指標情報が既に表示されているときには、前記対象始動保留球に基づく図柄変動ゲームで前記最終段階よりも前段階の指標情報を表示させるように前記変化割合を設定する一方で、前記事前判定結果が前記低有利度大当りであるとともに前記最終段階の指標情報が表示されていないときには、遊技者によって有利な指標情報への変化割合が低くなるように設定するとともに前記対象始動保留球に基づく図柄変動ゲームで前記最終段階よりも前段階の指標情報を表示させるように前記変化割合を設定したことを特徴とする遊技機。
【請求項３】
初期段階の指標情報から最終段階の指標情報を含む複数の指標情報を段階的に変化させることにより、遊技者にとって有利な特典が付与されることへの期待度の高低を示す指標変化演出を実行可能な遊技機において、
図柄変動ゲームの始動条件を付与する始動手段の入球口に入球した遊技球を始動保留球として記憶する保留記憶手段と、
前記入球口への入球時に、当該入球に基づく図柄変動ゲームが大当りとなるか否か及び大当りとなる場合の大当りの種類を事前に判定する事前判定手段と、
前記事前判定結果が有利度の高い特典を付与する高有利度大当りであった場合、前記事前判定の対象となる対象始動保留球を前記指標情報の変化対象として判定し、前記対象始動保留球に基づく図柄変動ゲームを含む当該図柄変動ゲームに至るまでの前記指標情報の変化を、前記事前判定結果が有利度の低い特典を付与する低有利度大当りであった場合に比して、高確率で有利に推移させる制御手段と、を備え、
前記制御手段は、大当り遊技終了後に前記始動手段の入球口を遊技球が入球し難い閉鎖状態から遊技球が入球し易い開放状態へ可変させる開放部材の単位時間あたりの開放時間を増加させる開放時間増加状態の付与期間中に前記指標変化演出を実行させることを特徴とする遊技機。
【請求項４】
初期段階の指標情報から最終段階の指標情報を含む複数の指標情報を段階的に変化させることにより、遊技者にとって有利な特典が付与されることへの期待度の高低を示す指標変化演出を実行可能な遊技機において、
図柄変動ゲームの始動条件を付与する始動手段の入球口に入球した遊技球を始動保留球として記憶する保留記憶手段と、
前記入球口への入球時に、当該入球に基づく図柄変動ゲームが大当りとなるか否か及び大当りとなる場合の大当りの種類を事前に判定する事前判定手段と、
前記事前判定結果が有利度の高い特典を付与する高有利度大当りであった場合、前記事前判定の対象となる対象始動保留球を前記指標情報の変化対象として判定し、前記対象始動保留球に基づく図柄変動ゲームを含む当該図柄変動ゲームに至るまでの前記指標情報の変化を、前記事前判定結果が有利度の低い特典を付与する低有利度大当りであった場合に比して、高確率で有利に推移させる制御手段と、を備え、
前記制御手段は、前記対象始動保留球よりも前に記憶されている始動保留球が大当りとなる場合には、前記対象始動保留球よりも前の始動保留球の事前判定結果に基づいて前記指標情報を変化させるとともに、前記対象始動保留球の事前判定結果を反映させずに前記指標情報を変化させることを特徴とする遊技機。
【請求項５】
前記制御手段は、前記事前判定結果が前記高有利度大当りであった場合には、前記対象始動保留球に基づく図柄変動ゲームで前記最終段階の指標情報を表示可能となるように制御する一方で、前記事前判定結果が前記低有利度大当りであった場合には、前記対象始動保留球に基づく図柄変動ゲームで前記最終段階の指標情報の表示を規制し、前記最終段階よりも前段階の指標情報を表示させることを特徴とする請求項３又は請求項４に記載の遊技機。
【請求項６】
前記特典には、大当り遊技終了後の大当り抽選の抽選確率を高確率状態とする確変状態が含まれ、
各図柄変動ゲームの実行時点における前記大当り抽選の抽選確率が低確率状態であるとともに前記事前判定結果がはずれとなり、かつ前記指標変化演出の実行時において前記最終段階の指標情報が表示されていない場合と、前記事前判定結果が大当りとなるとともに前記低有利度大当りが決定され、かつ前記指標変化演出の実行時において前記最終段階の指標情報が表示されていない場合において、前記指標情報の変化割合を同程度に設定したことを特徴とする請求項１、請求項２、及び請求項５のうちいずれか一項に記載の遊技機。
【請求項７】
前記制御手段は、前記事前判定結果が大当りとなる始動保留球が記憶されていない場合、大当りに基づく前記事前判定結果を参照することなく前記指標変化演出を実行させることを特徴とする請求項１〜請求項６のうちいずれか一項に記載の遊技機。
【発明の詳細な説明】
【技術分野】
【０００１】
本発明は、図柄変動ゲームの実行前にその変動内容を事前に判定する遊技機に関する。
【背景技術】
【０００２】
従来、遊技機の一種であるパチンコ遊技機では、遊技の興趣を向上させるために、遊技者にとって有利な特典が付与される期待度の高低を示す示唆演出（指標変化演出）を実行している（例えば、特許文献１）。特許文献１に記載のパチンコ遊技機では、遊技者にとって有利な特典が付与されることへの期待度を示唆する示唆演出を複数段階に跨って変化させている。より具体的には、遊技者が操作可能な演出用ボタンを操作させることで大当りとなる期待度の高低を示すゲージの報知内容を段階的に変化させ、大当りとなることへの遊技者の関心を段階的に高める演出を行うことで興趣を向上させていた。なお、特許文献１では、ゲージが最終段階に近付くほど大当りの可能性が高くなるように設定されている。
【先行技術文献】
【特許文献】
【０００３】
【特許文献１】特開２００６−１９７９７１号公報
【発明の概要】
【発明が解決しようとする課題】
【０００４】
ところが、特許文献１に記載のパチンコ遊技機では、実行中の図柄変動ゲームでのみ示唆演出が行われるとともに、示唆演出が最終段階の演出内容となるか否かは、始動保留球の記憶数や演出用ボタンの操作回数に関係なく大当り抽選の抽選結果のみに基づいている。したがって、このような示唆演出を、大当りとなる図柄変動ゲームよりも前に実行される図柄変動ゲームから段階的に実行させることで、保留中の図柄変動ゲームに跨って示唆演出を最初から最後まで楽しませることができると考えられる。
【０００５】
この発明は、このような従来の技術に存在する問題点に着目してなされたものであり、その目的は、遊技者にとって有利な展開となることへの関心を保留中の図柄変動ゲームを対象として段階的に高めることで、指標変化演出の演出内容の変化を最初から最後まで楽しませることができる遊技機を提供することにある。
【課題を解決するための手段】
【０００６】
上記問題点を解決するために、請求項１に記載の発明は、初期段階の指標情報から最終段階の指標情報を含む複数の指標情報を段階的に変化させることにより、遊技者にとって有利な特典が付与されることへの期待度の高低を示す指標変化演出を実行可能な遊技機において、図柄変動ゲームの始動条件を付与する始動手段の入球口に入球した遊技球を始動保留球として記憶する保留記憶手段と、前記入球口への入球時に、当該入球に基づく図柄変動ゲームが大当りとなるか否か及び大当りとなる場合の大当りの種類を事前に判定する事前判定手段と、前記事前判定結果が有利度の高い特典を付与する高有利度大当りであった場合、前記事前判定の対象となる対象始動保留球を前記指標情報の変化対象として判定し、前記対象始動保留球に基づく図柄変動ゲームを含む当該図柄変動ゲームに至るまでの前記指標情報の変化を、前記事前判定結果が有利度の低い特典を付与する低有利度大当りであった場合に比して、高確率で有利に推移させる制御手段と、を備え、前記制御手段は、前記事前判定結果が前記高有利度大当りであった場合には、前記対象始動保留球に基づく図柄変動ゲームで前記最終段階の指標情報を表示可能となるように制御する一方で、前記事前判定結果が前記低有利度大当りであった場合には、前記対象始動保留球に基づく図柄変動ゲームで前記最終段階の指標情報の表示を規制し、前記最終段階よりも前段階の指標情報を表示させるようになっており、前記指標変化演出では、前記指標情報の属性が異なる複数の指標変化演出が夫々独立して同時に実行されるようになっている一方で、前記高有利度大当りは複数種類設定されており、前記制御手段は、前記事前判定結果が前記高有利度大当りとなる場合には、前記対象始動保留球に基づく図柄変動ゲームにおいて少なくともいずれか１つの指標変化演出で前記最終段階の指標情報を表示可能となっており、前記事前判定結果が最も有利度の高い第１高有利度大当りであった場合、前記事前判定結果が前記第１高有利度大当りよりも有利度の低い第２高有利度大当りであった場合に比して、前記最終段階の指標情報の表示数を多く設定したことを要旨とする。
【０００７】
請求項２に記載の発明は、初期段階の指標情報から最終段階の指標情報を含む複数の指標情報を段階的に変化させることにより、遊技者にとって有利な特典が付与されることへの期待度の高低を示す指標変化演出を実行可能な遊技機において、図柄変動ゲームの始動条件を付与する始動手段の入球口に入球した遊技球を始動保留球として記憶する保留記憶手段と、前記入球口への入球時に、当該入球に基づく図柄変動ゲームが大当りとなるか否か及び大当りとなる場合の大当りの種類を事前に判定する事前判定手段と、前記事前判定結果が有利度の高い特典を付与する高有利度大当りであった場合、前記事前判定の対象となる対象始動保留球を前記指標情報の変化対象として判定し、前記対象始動保留球に基づく図柄変動ゲームを含む当該図柄変動ゲームに至るまでの前記指標情報の変化を、前記事前判定結果が有利度の低い特典を付与する低有利度大当りであった場合に比して、高確率で有利に推移させる制御手段と、を備え、前記制御手段は、前記事前判定結果が前記高有利度大当りであった場合には、前記対象始動保留球に基づく図柄変動ゲームで前記最終段階の指標情報を表示可能となるように制御する一方で、前記事前判定結果が前記低有利度大当りであった場合には、前記対象始動保留球に基づく図柄変動ゲームで前記最終段階の指標情報の表示を規制し、前記最終段階よりも前段階の指標情報を表示させるようになっており、各図柄変動ゲームの実行時点において前記最終段階の予告画像が表示されているか否かに応じて前記指標情報の変化割合を異ならせるようになっており、前記事前判定結果が前記高有利度大当りであるとともに前記最終段階の指標情報が既に表示されているときには、前記対象始動保留球に基づく図柄変動ゲームで前記最終段階の指標情報を維持させ易くなるように前記変化割合を設定する一方で、前記事前判定結果が前記高有利度大当りであるとともに前記最終段階の指標情報が表示されていないときには、前記対象始動保留球に基づく図柄変動ゲームで前記最終段階の指標情報を表示させ易くなるように前記変化割合を設定し、前記事前判定結果が前記低有利度大当りであるとともに前記最終段階の指標情報が既に表示されているときには、前記対象始動保留球に基づく図柄変動ゲームで前記最終段階よりも前段階の指標情報を表示させるように前記変化割合を設定する一方で、前記事前判定結果が前記低有利度大当りであるとともに前記最終段階の指標情報が表示されていないときには、遊技者によって有利な指標情報への変化割合が低くなるように設定するとともに前記対象始動保留球に基づく図柄変動ゲームで前記最終段階よりも前段階の指標情報を表示させるように前記変化割合を設定したことを要旨とする。
【０００８】
請求項３に記載の発明は、初期段階の指標情報から最終段階の指標情報を含む複数の指標情報を段階的に変化させることにより、遊技者にとって有利な特典が付与されることへの期待度の高低を示す指標変化演出を実行可能な遊技機において、図柄変動ゲームの始動条件を付与する始動手段の入球口に入球した遊技球を始動保留球として記憶する保留記憶手段と、前記入球口への入球時に、当該入球に基づく図柄変動ゲームが大当りとなるか否か及び大当りとなる場合の大当りの種類を事前に判定する事前判定手段と、前記事前判定結果が有利度の高い特典を付与する高有利度大当りであった場合、前記事前判定の対象となる対象始動保留球を前記指標情報の変化対象として判定し、前記対象始動保留球に基づく図柄変動ゲームを含む当該図柄変動ゲームに至るまでの前記指標情報の変化を、前記事前判定結果が有利度の低い特典を付与する低有利度大当りであった場合に比して、高確率で有利に推移させる制御手段と、を備え、前記制御手段は、大当り遊技終了後に前記始動手段の入球口を遊技球が入球し難い閉鎖状態から遊技球が入球し易い開放状態へ可変させる開放部材の単位時間あたりの開放時間を増加させる開放時間増加状態の付与期間中に前記指標変化演出を実行させることを要旨とする。
【０００９】
請求項４に記載の発明は、初期段階の指標情報から最終段階の指標情報を含む複数の指標情報を段階的に変化させることにより、遊技者にとって有利な特典が付与されることへの期待度の高低を示す指標変化演出を実行可能な遊技機において、図柄変動ゲームの始動条件を付与する始動手段の入球口に入球した遊技球を始動保留球として記憶する保留記憶手段と、前記入球口への入球時に、当該入球に基づく図柄変動ゲームが大当りとなるか否か及び大当りとなる場合の大当りの種類を事前に判定する事前判定手段と、前記事前判定結果が有利度の高い特典を付与する高有利度大当りであった場合、前記事前判定の対象となる対象始動保留球を前記指標情報の変化対象として判定し、前記対象始動保留球に基づく図柄変動ゲームを含む当該図柄変動ゲームに至るまでの前記指標情報の変化を、前記事前判定結果が有利度の低い特典を付与する低有利度大当りであった場合に比して、高確率で有利に推移させる制御手段と、を備え、前記制御手段は、前記対象始動保留球よりも前に記憶されている始動保留球が大当りとなる場合には、前記対象始動保留球よりも前の始動保留球の事前判定結果に基づいて前記指標情報を変化させるとともに、前記対象始動保留球の事前判定結果を反映させずに前記指標情報を変化させることを要旨とする。
【００１０】
請求項５に記載の発明は、請求項３又は請求項４に記載の遊技機において、前記制御手段は、前記事前判定結果が前記高有利度大当りであった場合には、前記対象始動保留球に基づく図柄変動ゲームで前記最終段階の指標情報を表示可能となるように制御する一方で、前記事前判定結果が前記低有利度大当りであった場合には、前記対象始動保留球に基づく図柄変動ゲームで前記最終段階の指標情報の表示を規制し、前記最終段階よりも前段階の指標情報を表示させることを要旨とする。
【００１１】
請求項６に記載の発明は、請求項１、請求項２、及び請求項５のうちいずれか一項に記載の遊技機において、前記特典には、大当り遊技終了後の大当り抽選の抽選確率を高確率状態とする確変状態が含まれ、各図柄変動ゲームの実行時点における前記大当り抽選の抽選確率が低確率状態であるとともに前記事前判定結果がはずれとなり、かつ前記指標変化演出の実行時において前記最終段階の指標情報が表示されていない場合と、前記事前判定結果が大当りとなるとともに前記低有利度大当りが決定され、かつ前記指標変化演出の実行時において前記最終段階の指標情報が表示されていない場合において、前記指標情報の変化割合を同程度に設定したことを要旨とする。
【００１２】
請求項７に記載の発明は、請求項１〜請求項６のうちいずれか一項に記載の遊技機において、前記制御手段は、前記事前判定結果が大当りとなる始動保留球が記憶されていない場合、大当りに基づく前記事前判定結果を参照することなく前記指標変化演出を実行させることを要旨とする。
【発明の効果】
【００１４】
本発明によれば、遊技者にとって有利な展開となることへの関心を保留中の図柄変動ゲームを対象として段階的に高めることで、指標変化演出の演出内容の変化を最初から最後まで楽しませることができる。
【図面の簡単な説明】
【００１５】
【図１】パチンコ遊技機の遊技盤を示す正面図。
【図２】大当りの種類を説明する説明図。
【図３】パチンコ遊技機の電気的構成を示すブロック図。
【図４】（ａ），（ｂ）は、変動パターンの種類を説明する説明図。
【図５】特別図柄入力処理の流れを示すフローチャート。
【図６】特別図柄開始処理の流れを示すフローチャート。
【図７】先読みコマンドの種類を説明する説明図。
【図８】（ａ）〜（ｃ）は、変動方向決定テーブルを説明する説明図。
【図９】（ａ）〜（ｃ）は、変動方向決定テーブルを説明する説明図。
【図１０】変化対象決定テーブルを説明する説明図。
【図１１】攻撃力パラメータの変化量決定テーブルを説明する説明図。
【図１２】防御力パラメータの変化量決定テーブルを説明する説明図。
【図１３】体力パラメータの変化量決定テーブルを説明する説明図。
【図１４】先読みコマンド設定処理の流れを示すフローチャート。
【図１５】変動方向決定処理の流れを示すフローチャート。
【図１６】変化対象決定処理の流れを示すフローチャート。
【図１７】変化量決定処理の流れを示すフローチャート。
【図１８】（ａ）〜（ｊ）は、１３Ｒ確変大当りに当選したときのパラメータ変化演出の流れを示すフローチャート。
【図１９】（ａ）〜（ｊ）は、２Ｒ確変大当りに当選したときのパラメータ変化演出の流れを示すフローチャート。
【発明を実施するための形態】
【００１６】
以下、本発明を具体化したパチンコ遊技機について図１〜図１９に従って説明する。
図１に示すように、パチンコ遊技機の遊技盤１０のほぼ中央には、液晶ディスプレイ型の画像表示部ＧＨを有する演出表示装置１１が配設されている。演出表示装置１１には、複数列（本実施形態では３列）の図柄列を変動させて行う図柄変動ゲームを含み、該ゲームに関連して実行される各種の表示演出が画像表示される。本実施形態において演出表示装置１１の図柄変動ゲームでは、複数列（本実施形態では３列）の図柄からなる図柄組み合わせを導出する。なお、演出表示装置１１の図柄変動ゲームは、表示演出を多様化するための飾り図柄（演出図柄）を用いて行われる。また、演出表示装置１１の右下には、７セグメント型の特別図柄表示装置１２が配設されている。特別図柄表示装置１２では、複数種類の特別図柄を変動させて表示する図柄変動ゲームが行われる。特別図柄は、大当りか否かの内部抽選（大当り抽選）の結果を示す報知用の図柄である。
【００１７】
そして、演出表示装置１１には、特別図柄表示装置１２の表示結果に応じた表示結果が表示される。具体的に言えば、特別図柄表示装置１２に大当りを認識できる大当り図柄（大当り表示結果）が確定停止表示される場合には、演出表示装置１１にも大当り図柄（大当り表示結果）が確定停止表示される。また、特別図柄表示装置１２にはずれを認識できるはずれ図柄（はずれ表示結果）が確定停止表示される場合には、演出表示装置１１にもはずれ図柄（はずれ表示結果）が確定停止表示される。なお、演出表示装置１１に確定停止表示される大当り図柄は、例えば、全列の飾り図柄が同一図柄となる図柄組み合わせによって構成される（例えば［２２２］や［７７７］など）。また、演出表示装置１１に確定停止表示されるはずれ図柄は、原則的に、全列の飾り図柄が異なる飾り図柄となる図柄組み合わせや、１列の飾り図柄が他の２列の飾り図柄とは異なる飾り図柄となる図柄組み合わせによって構成される。
【００１８】
また、演出表示装置１１では、遊技者側から見て左列→右列→中列の順に図柄列の変動が停止するようになっており、特定の２列（本実施形態では左右の２列）に同一の飾り図柄が一旦停止表示された場合、リーチが形成される。ここで、一旦停止表示とは、画像表示部ＧＨにおいてゆれ変動状態で表示されている状態であり、画像表示部ＧＨにおいて図柄が確定停止している確定停止表示とは区別される。
【００１９】
特別図柄表示装置１２の上方には、複数個（本実施形態では２個）の特別図柄保留発光部を備えた特別図柄保留表示装置１３が配設されている。特別図柄保留表示装置１３は、機内部で記憶した特別図柄用の始動保留球の記憶数（以下「保留記憶数」と示す）を遊技者に報知する。保留記憶数は、遊技盤１０に配設した後述の始動入賞口に遊技球が入球することで１加算される一方で、図柄変動ゲームの開始により１減算される。したがって、図柄変動ゲーム中に始動入賞口へ遊技球が入球すると、保留記憶数は更に加算されるとともに、所定の上限数（本実施形態では４個）まで累積される。
【００２０】
また、画像表示部ＧＨの下方領域には、保留記憶数を画像表示するための保留画像表示領域Ｈが形成されている。保留画像表示領域Ｈは、図１に示すように、保留記憶数の上限数に対応する４つの個別表示領域（報知部）Ｈ１，Ｈ２，Ｈ３，Ｈ４を含んで構成されている。そして、保留画像表示領域Ｈでは、保留記憶数に対応する個数の個別表示領域が、保留有表示の態様で画像表示される。例えば、保留記憶数「２」の場合には、個別表示領域Ｈ１，Ｈ２が保留有表示の態様で画像表示される一方で、個別表示領域Ｈ３，Ｈ４が保留無表示の態様で画像表示される。すなわち、個別表示領域は、始動保留球毎に個別対応している。なお、図１では、保留有表示の態様として、個数表示領域に左下がり斜線を付している。保留画像表示領域Ｈは、遊技者が常に注目する画像表示部ＧＨに形成されていることから、遊技者は、保留画像表示領域Ｈにおける保留有表示の態様で画像表示された個別表示領域の個数から保留記憶数を認識することになる。
【００２１】
また、特別図柄表示装置１２の上方には、普通図柄表示装置１４が配設されている。普通図柄表示装置１４では、複数種類の普通図柄を変動させて１つの普通図柄を導出する普通図柄変動ゲーム（以下「普図ゲーム」と示す）が行われる。本実施形態の普通図柄表示装置１４は、図示しない発光体（ＬＥＤやランプなど）をレンズカバーで覆って構成した複数個（本実施形態では２個）の普通図柄表示部から構成されている。普通図柄表示装置１４では、大当りか否かの大当り抽選とは別に行う普図当りか否かの内部抽選（後述する普図当り抽選）の抽選結果を表示する。すなわち、普図当り抽選に当選した場合には、普図ゲームで普通図柄の当り図柄（本実施形態では左側の普通図柄表示部が点灯）が確定停止表示（導出）される。一方、普図当り抽選に当選しない場合（はずれの場合）には、普通図柄のはずれ図柄（本実施形態では右側の普通図柄表示部が点灯）が確定停止表示（導出）される。
【００２２】
演出表示装置１１の下方には、遊技球の入球口１５ａを有する始動手段としての始動入賞口１５が配設されている。始動入賞口１５は普通電動役物とされ、図示しないアクチュエータ（ソレノイド、モータなど）の作動により開閉動作を行う開放部材としての開閉羽根１６を備えている。始動入賞口１５は、開閉羽根１６の開動作により入口が拡大されて遊技球が入球（入賞）し易い開状態とされる一方で、開閉羽根１６の閉動作により入口が拡大されずに遊技球が入球（入賞）し難い閉状態とされる。そして、始動入賞口１５の奥方には入球した遊技球を検知する始動手段としての始動口スイッチＳＷ１（図３に示す）が配設されている。始動入賞口１５は、入球した遊技球を始動口スイッチＳＷ１で入球検知することにより、図柄変動ゲームの始動条件と予め定めた個数の賞球としての遊技球の払出条件を付与し得る。
【００２３】
また、始動入賞口１５の下方には、図示しないアクチュエータ（ソレノイド、モータなど）の作動により開閉動作を行う大入賞口扉１７を備えた大入賞口（特別電動役物）１８が配設されている。大入賞口１８の奥方には、入球した遊技球を検知するカウントスイッチＳＷ２（図３に示す）が配設されている。大入賞口１８は、入球した遊技球を検知することにより、予め定めた個数（例えば１０個）の賞球としての遊技球の払出条件を付与し得る。大入賞口１８は、大当り遊技中に大入賞口扉１７の開動作によって開放されることで遊技球の入球が許容される。このため、大当り遊技中、遊技者は、賞球を獲得できるチャンスを得ることができる。なお、大当り遊技の内容については後述する。
【００２４】
また、演出表示装置１１の左方には、普通図柄作動ゲート（以下「ゲート」と示す）１９が配設されている。ゲート１９の奥方には、入球し通過した遊技球を検知するゲートスイッチＳＷ３（図３に示す）が配設されている。ゲート１９は、遊技球の通過を契機に、普図ゲームの始動条件（普図当り抽選の抽選契機）のみを付与し得る。
【００２５】
また、本実施形態のパチンコ遊技機は、大当り遊技終了後に大当り抽選の当選確率（抽選確率）を低確率から高確率に変動（向上）させる確率変動（以下「確変」と示す）状態を付与可能に構成されている。本実施形態において確変状態は、次回の大当り遊技が生起される迄の間、付与される。確変状態は、大当り抽選の当選確率が高確率に変動して大当りが生起され易くなるため、遊技者にとって有利な状態となる。
【００２６】
また、本実施形態のパチンコ遊技機は、変動時間短縮（以下、「変短」と示す）機能を備えている。変短機能は、普図ゲームの変動時間が短縮されるとともに、ゲート１９の通過に基づく普図当り抽選の当選確率（抽選確率）を低確率から高確率に変動させる変短状態を付与する機能である。また、変短状態中は、１回の普図当り抽選に当選したことに基づく開閉羽根１６の合計開放時間が、非変短状態中に比して長くなる。本実施形態では、変短状態が開放時間増加状態となる。
【００２７】
次に、本実施形態のパチンコ遊技機に設定されている大当りの種類について図２に従って説明する。また、以下の説明では、パチンコ遊技機の遊技状態として、非確変状態、かつ非変短状態を「低確＋変短なし」と示すとともに、非確変状態、かつ変短状態を「低確＋変短あり」と示す。また、確変状態、かつ非変短状態を「高確＋変短なし」と示すとともに、確変状態、かつ変短状態を「高確＋変短あり」と示す。
【００２８】
特別図柄Ａに基づく大当り遊技は、規定ラウンド数を「１３回」とする一方で、特別図柄Ｂに基づく大当り遊技は、規定ラウンド数を「７回」としており、さらに、特別図柄Ｃ，Ｄに基づく大当り遊技は、規定ラウンド数を「２回」としている。また、特別図柄Ａ及び特別図柄Ｂに基づく大当り遊技終了後には、大当り抽選の当選時における遊技状態に関係なく、確変状態（次回大当りまで）と、予め定めた回数（本実施形態では、１００００回）の図柄変動ゲームが行われるまでの間、又は前記回数に達する前に大当りが生起されるまでの間、変短状態が付与される。
【００２９】
その一方で、特別図柄Ｃに基づく大当り遊技終了後には、大当り抽選の当選時における遊技状態が「高確＋変短なし」又は「低確＋変短なし」の場合、確変状態（次回大当りまで）のみが付与される。一方で、大当り抽選の当選時における遊技状態が「高確＋変短あり」又は「低確＋変短あり」の場合、特別図柄Ｃに基づく大当り遊技終了後には、確変状態（次回大当りまで）と、予め定めた回数（本実施形態では、５０回）の図柄変動ゲームが行われるまでの間、又は前記回数に達する前に大当りが生起されるまでの間、変短状態が付与される。また、特別図柄Ｄに基づく大当り遊技終了後には、大当り抽選の当選時における遊技状態が「高確＋変短なし」又は「低確＋変短なし」の場合、非確変状態のみが付与される。一方で、大当り抽選の当選時における遊技状態が「高確＋変短あり」又は「低確＋変短あり」の場合、特別図柄Ｄに基づく大当り遊技終了後には、非確変状態と、予め定めた回数（本実施形態では、５０回）の図柄変動ゲームが行われるまでの間、又は前記回数に達する前に大当りが生起されるまでの間、変短状態が付与される。
【００３０】
以下、特別図柄Ａに対応する大当りの種類を「１３Ｒ確変大当り」と示すとともに、特別図柄Ａに基づく大当り遊技を「１３Ｒ確変大当り遊技」と示す。一方で、特別図柄Ｂに対応する大当りの種類を「７Ｒ確変大当り」と示すとともに、特別図柄Ｂに基づく大当り遊技を「７Ｒ確変大当り遊技」と示す。また、特別図柄Ｃに対応する大当りの種類を「２Ｒ確変大当り」と示すとともに、特別図柄Ｃに基づく大当り遊技を「２Ｒ確変大当り遊技」と示す。一方で、特別図柄Ｄに対応する大当りの種類を「２Ｒ非確変大当り」と示すとともに、特別図柄Ｄに基づく大当り遊技を「２Ｒ非確変大当り遊技」と示す。
【００３１】
また、本実施形態では、規定ラウンド数に関係なく、１回のラウンド遊技における入球上限個数を「９球」に設定するとともに、大入賞口１８での１球の遊技球の検知によって払出される賞球数（１０球）を統一している。その一方で、１３Ｒ確変大当り遊技及び７Ｒ確変大当り遊技における１回のラウンド遊技時間（２５秒）よりも２Ｒ確変大当り遊技及び２Ｒ非確変大当り遊技における１回のラウンド遊技時間（０．６秒）を短く設定している。これにより、規定ラウンド数が多いほど、大当り遊技中に大入賞口１８へ入球する度に払出される遊技球の総数である総賞球払出数が多くなる。
【００３２】
本実施形態では、確変状態が付与されること及び総賞球払出数の多さが、遊技者にとって有利な特典となる。また、本実施形態では、１３Ｒ確変大当り及び７Ｒ確変大当りが高有利度大当りとなる一方で、２Ｒ確変大当り及び２Ｒ非確変大当りが低有利度大当りとなる。また、高有利度大当りのうち、１３Ｒ確変大当りが第１高有利度大当りとなる一方で、７Ｒ確変大当りが第２高有利度大当りとなる。
【００３３】
次に、パチンコ遊技機の制御構成を図３にしたがって説明する。
本実施形態のパチンコ遊技機の機裏側には、パチンコ遊技機全体を制御する主制御基板３０が装着されている。主制御基板３０は、パチンコ遊技機全体を制御するための各種処理を実行するとともに、該処理結果に応じた各種の制御指令（制御コマンド）を出力する。また、機裏側には、演出制御基板３１が装着されている。演出制御基板３１は、主制御基板３０が出力した制御指令に基づき、各種の演出装置の動作を制御する。
【００３４】
以下、主制御基板３０及び演出制御基板３１の具体的構成を説明する。
主制御基板３０には、制御動作を所定の手順で実行する主制御用ＣＰＵ３０ａと、主制御用ＣＰＵ３０ａの制御プログラムを格納する主制御用ＲＯＭ３０ｂと、必要なデータの書き込み及び読み出しができる主制御用ＲＡＭ３０ｃが設けられている。そして、主制御用ＣＰＵ３０ａには、各種スイッチＳＷ１〜ＳＷ３が遊技球を検知して出力する検知信号を入力可能に接続されている。また、主制御用ＣＰＵ３０ａには、特別図柄表示装置１２、特別図柄保留表示装置１３、及び普通図柄表示装置１４が接続されている。
【００３５】
また、主制御用ＣＰＵ３０ａは、大当り判定用乱数、リーチ判定用乱数、普図当り判定用乱数及び特図振分用乱数などの各種乱数の値を所定の周期毎に更新する乱数更新処理（乱数生成処理）を実行する。大当り判定用乱数は、大当り抽選（大当り判定）で用いる乱数である。リーチ判定用乱数は、大当り抽選で大当りに当選しなかった場合、すなわちはずれの場合にリーチを形成するか否かのリーチ抽選（リーチ判定）で用いる乱数である。特図振分用乱数は、大当り抽選で当選した場合に特別図柄の大当り図柄を決定する際に用いられる乱数であり、０〜９９の全１００通りの整数値に定められている。本実施形態のパチンコ遊技機では、特別図柄の大当り図柄として全１００通りの特別図柄が設定されているとともに、この１００種類の特別図柄の大当り図柄に対して１００通りの特図振分用乱数の値が１個ずつ各別に対応付けられている。普図当り判定用乱数は、普図当りか否かの普図当り抽選で用いる乱数である。また、主制御用ＲＡＭ３０ｃには、パチンコ遊技機の動作中に適宜書き換えられる各種情報（乱数値、タイマ値、フラグなど）が記憶（設定）される。
【００３６】
主制御用ＲＯＭ３０ｂには、メイン制御プログラム、各種の判定値（大当り判定値、リーチ判定値など）が記憶されている。大当り判定値は、大当り抽選で用いる判定値であり、大当り判定用乱数の取り得る数値（０〜５９９までの全６００通りの整数）の中から定められている。そして、大当り判定値は非確変状態時の大当り抽選で用いる非確変用判定値（低確率時大当り判定値）と、確変状態時の大当り抽選で用いる確変用判定値（高確率時大当り判定値）とがある。確変用判定値の設定数（本実施形態では２０個）は、非確変用判定値の設定数（本実施形態では２個）よりも多く設定されている。このような設定によれば、非確変状態において大当り抽選で当選する確率は６００分の２となる一方で、確変状態において大当り抽選に当選する確率は６００分の２０となる。
【００３７】
本実施形態の低確率時大当り判定値は、「１７、８３」の２個に設定されている。一方、本実施形態の高確率時大当り判定値は、上記「１７、８３」の２個の値に、「３７、９７、１８５…（以下省略）」などの１８個の値を加えた合計２０個に設定されている。そして、低確率時大当り判定値と高確率時大当り判定値は、その総数は異なるが、設定値については一部の値（本実施形態では「１７、８３」）が共通値とされている。この共通値（「１７、８３」）は、非確変状態時及び確変状態時の何れの状態においても大当り判定用乱数の値と一致する値とされている（共通大当り判定値）。一方、高確率時大当り判定値において、前記共通値（「１７、８３」）を除く他の値（１８個）は、低確率時大当り判定値（共通大当り判定値）とは異なる非共通値（非共通大当り判定値）とされている。この非共通値は、大当り抽選時の遊技状態に応じて、大当り判定値と一致する場合と一致しない場合とがある。具体的に言えば、非共通大当り判定値は、非確変状態時の大当り抽選において、大当り判定用乱数の値とは一致しない。その一方で、非共通大当り判定値は、確変状態時の大当り抽選において、大当り判定用乱数の値と一致する。
【００３８】
また、リーチ判定値は、はずれを決定する場合にリーチを形成するか否かの内部抽選（リーチ判定）で用いる判定値であり、リーチ判定用乱数の取り得る数値（０〜２４０までの全２４１通りの整数）の中から定められている。なお、本実施形態では、変短状態中、リーチ判定値を設定していないため、変短状態中ははずれとなるリーチ演出が実行されないようになっている。また、主制御用ＲＯＭ３０ｂには、普図当り判定値が記憶されている。普図当り判定値は、普図当りか否かの内部抽選（普図当り抽選）で用いる判定値であり、普図当り判定用乱数の取り得る数値（０〜２５０迄の全２５１通りの整数）の中から定められている。さらに、普図当り判定値は、非変短状態時の普図当り抽選で用いる低確率用の普図当り判定値（本実施形態では、１３個）と、変短状態時の普図当り抽選で用いる高確率用の普図当り判定値（本実施形態では、２５０個）とがある。
【００３９】
また、主制御用ＲＯＭ３０ｂには、複数種類の変動パターンが記憶されている。変動パターンは、図柄変動ゲームが開始してから図柄変動ゲームが終了するまでの間の演出（表示演出、発光演出、音声演出）のベースとなるパターンであって、図柄変動ゲームの変動内容（演出内容）及び変動時間（演出時間）を特定し得る。本実施形態において、複数種類の変動パターンは、大当り変動用の変動パターン、はずれリーチ変動用の変動パターン、及びはずれ変動用の変動パターンに分類できる。大当り変動は、リーチ演出を経て、図柄変動ゲームが最終的に大当り図柄を確定停止表示させるように展開される演出である。はずれリーチ変動は、リーチ演出を経て、図柄変動ゲームが最終的にはずれ図柄を確定停止表示させるように展開される演出である。はずれ変動は、リーチ演出を経ないで、図柄変動ゲームが最終的にはずれ図柄を確定停止表示させるように展開される演出である。リーチ演出は、演出表示装置１１の飾り図柄による図柄変動ゲームにおいて、リーチが形成されてから、最終的に図柄組み合わせ（大当り図柄又ははずれ図柄）が導出される迄の間に、例えば所定のキャラクタを登場させるなどして行われる演出である。なお、特別図柄表示装置１２では、図柄変動ゲームが開始されると、リーチ演出を行うことなく、変動時間の経過時まで図柄の変動が継続される。
【００４０】
以下、本実施形態のパチンコ遊技機に設定された変動パターンの一部について図４に従って説明する。なお、図４（ａ）は、非変短状態中に参照される変動パターン振分テーブルを示す一方で、図４（ｂ）は、変短状態中に参照される変動パターン振分テーブルを示している。
【００４１】
図４（ａ）に示すように、非変短状態中に選択可能な変動パターンとして、はずれ変動用の変動パターンＰ１、はずれリーチ変動用の変動パターンＰ２、及び大当り変動用の変動パターンＰ３が設定されている。また、図４（ｂ）に示すように、変短状態中に選択可能な変動パターンとして、はずれ変動用の変動パターンＰ４，Ｐ５、大当り変動用の変動パターンＰ６，Ｐ７が設定されている。
【００４２】
はずれ変動用の変動パターンＰ１には、変動内容として「通常変動」が定められている。通常変動では、図柄変動ゲームの開始後、所定時間の経過毎に図柄列の変動が順次停止し、はずれ図柄が導出される。はずれ変動用の変動パターンＰ４には、変動内容として「超短縮変動（図中、超短縮と示す）」が定められている。超短縮変動では、図柄変動ゲームの開始後、通常変動における変動表示に係る時間よりも短い時間の経過後に各列の変動がほぼ同一のタイミングで停止し、はずれ図柄が導出される。また、はずれ変動用の変動パターンＰ５には、変動内容として「ガセ」が定められている。「ガセ」では、図柄変動ゲームの開始後、リーチ演出が実行されると見せかけて、リーチ図柄を含まないはずれ図柄が導出される。また、本実施形態では、変短状態中の大当り抽選に当選しなかった場合、変動パターンＰ４の選択率を９０％に設定する一方で、変動パターンＰ５の選択率を１０％となるように設定している。
【００４３】
また、大当り変動用の変動パターンＰ６には、変動内容として「対決リーチ勝利」が定められている一方で、大当り変動用の変動パターンＰ７には、変動内容として「対決リーチ敗北」が定められている。本実施形態における対決リーチ演出では、遊技者を投影する味方キャラクタと、対戦相手となる敵キャラクタが対決する内容となっており、その対決結果によって大当りの種類を遊技者に認識させるようになっている。本実施形態における対決結果には、「勝利」と「敗北」が設定されており、変動パターンＰ６に基づく変動では、対決結果として味方キャラクタが敵キャラクタに勝利するようになっている。その一方で、変動パターンＰ７に基づく変動では、対決結果として味方キャラクタが敵キャラクタに敗北するようになっている。また、変動パターンＰ６は、１３Ｒ確変大当り又は７Ｒ確変大当りが決定された際に選択される一方で、変動パターンＰ７は、２Ｒ確変大当り又は２Ｒ非確変大当りが決定された際に選択されるようになっている。本実施形態では、２Ｒ確変大当り又は２Ｒ非確変大当りが決定された場合、同一の変動パターンＰ７が選択されるようになっているので、図柄組み合わせが確定停止表示されるまでの展開が同一展開となる。このため、本実施形態のパチンコ遊技機において、敵キャラクタに敗北した場合、当該図柄変動ゲームの演出内容を視認しても、確変状態が付与されているか否かを遊技者に認識させない。なお、非変短状態中に選択されるはずれリーチ変動用の変動パターンＰ２及び大当り変動用の変動パターンＰ３には、対決リーチとは異なる演出内容が対応付けられている。
【００４４】
次に、演出制御基板３１について説明する。
演出制御基板３１には、制御動作を所定の手順で実行する演出制御用ＣＰＵ３１ａと、演出制御用ＣＰＵ３１ａの制御プログラムを格納する統括制御用ＲＯＭ３１ｂと、必要なデータの書き込み及び読み出しができる演出制御用ＲＡＭ３１ｃが設けられている。また、演出制御用ＲＡＭ３１ｃには、パチンコ遊技機の動作中に適宜書き換えられる各種情報（乱数値、タイマ値、フラグなど）が記憶（設定）される。また、演出制御用ＣＰＵ３１ａには、演出表示装置１１が接続されている。
【００４５】
以下、主制御基板３０の主制御用ＣＰＵ３０ａが、メイン制御プログラムに基づき実行する特別図柄入力処理や特別図柄開始処理などの各種処理について図５及び図６に従って説明する。本実施形態において主制御用ＣＰＵ３０ａは、所定の制御周期（例えば、４ｍｓ）毎に特別図柄入力処理や特別図柄開始処理などの各種処理を実行する。なお、特別図柄開始処理は、特別図柄入力処理の終了後に実行される。
【００４６】
最初に、特別図柄入力処理について図５に従って説明する。
主制御用ＣＰＵ３０ａは、始動入賞口１５に遊技球が入球したか否かを判定する（ステップＳ１０）。ステップＳ１０において主制御用ＣＰＵ３０ａは、始動口スイッチＳＷ１が遊技球を検知した時に出力する検知信号を入力したか否かを判定する。ステップＳ１０の判定結果が否定の場合、主制御用ＣＰＵ３０ａは、特別図柄入力処理を終了する。一方、ステップＳ１０の判定結果が肯定の場合、主制御用ＣＰＵ３０ａは、主制御用ＲＡＭ３０ｃに記憶されている保留記憶数が上限数の４未満であるか否かを判定する（ステップＳ１１）。ステップＳ１１の判定結果が否定の場合、主制御用ＣＰＵ３０ａは、特別図柄入力処理を終了する。
【００４７】
一方、ステップＳ１１の判定結果が肯定（保留記憶数＜４）の場合、主制御用ＣＰＵ３０ａは、保留記憶数を１加算し、保留記憶数を書き換える（ステップＳ１２）。また、主制御用ＣＰＵ３０ａは、１加算後の保留記憶数を表すように特別図柄保留表示装置１３の表示内容を変更する。また、主制御用ＣＰＵ３０ａは、加算後の保留記憶数を指示する保留指定コマンドを演出制御基板３１に出力するために送信バッファにセットする。この保留指定コマンドは、次周期からの制御周期において演出制御基板３１に出力される。画像表示部ＧＨの保留画像表示領域Ｈ（個別表示領域Ｈ１〜Ｈ４）の画像表示は、保留指定コマンドで指示される保留記憶数によって表示の態様が制御される。
【００４８】
本実施形態では、ステップＳ１２の処理により、始動入賞口１５に入球した遊技球は始動保留球として主制御用ＲＡＭ３０ｃに記憶されることから、主制御用ＲＡＭ３０ｃは保留記憶手段として機能する。
【００４９】
そして、ステップＳ１２の終了後、主制御用ＣＰＵ３０ａは、大当り判定用乱数の値及び特図振分用乱数の値を主制御用ＲＡＭ３０ｃから読み出して取得する。そして、主制御用ＣＰＵ３０ａは、これらの値を保留記憶数に対応付けられた主制御用ＲＡＭ３０ｃの所定の記憶領域に設定する（ステップＳ１３）。
【００５０】
次に、主制御用ＣＰＵ３０ａは、変短状態中であるか否かを判定する（ステップＳ１４）。ステップＳ１４において主制御用ＣＰＵ３０ａは、遊技状態フラグとしての作動フラグの設定値が「０（非変短状態）」である場合に否定判定し、作動フラグの設定値が「１（変短状態）」である場合に肯定判定する。ステップＳ１４の判定結果が否定の場合、主制御用ＣＰＵ３０ａは、特別図柄入力処理を終了するので、非変短状態中は後に詳述する事前判定処理を実行しないことになる。一方、ステップＳ１４の判定結果が肯定の場合、主制御用ＣＰＵ３０ａは、大当り抽選の抽選確率が低確率状態であるか否かを判定する（ステップＳ１５）。ステップＳ１５において主制御用ＣＰＵ３０ａは、遊技状態フラグとしての確変フラグの設定値が「０（非確変状態）」である場合に肯定判定し、確変フラグの設定値が「１（確変状態）」である場合に否定判定する。
【００５１】
ステップＳ１５の判定結果が肯定の場合、主制御用ＣＰＵ３０ａは、ステップＳ１３で取得した大当り判定用乱数の値と非確変用判定値を比較し、両値が一致するか否かを事前判定する事前判定処理を行う（ステップＳ１６）。ステップＳ１６の判定結果が肯定の場合、主制御用ＣＰＵ３０ａは、検知した始動保留球に基づく図柄変動ゲームが、大当りとなることを事前に認識することになる。その後、主制御用ＣＰＵ３０ａは、ステップＳ１６の判定で用いた大当り判定用乱数とともに取得した特図振分用乱数が記憶された保留記憶数の記憶領域から特図振分用乱数の値を読み出すことで大当り図柄を確認する（ステップＳ１７）。本実施形態における事前判定処理は、特別図柄入力処理において遊技球の入球に伴って取得された大当り判定用乱数の値や特図振分用乱数の値を事前判定し、その事前判定の結果を指示する先読みコマンドを生成及び出力するための処理となる。
【００５２】
ステップＳ１７の説明に戻り、大当り図柄を確認した主制御用ＣＰＵ３０ａは、確認した大当り図柄を指示する先読みコマンド［Ｄ２ＨｘｘＨ］（図７参照）を送信用バッファにセットする（ステップＳ１８）。具体的に言えば、主制御用ＣＰＵ３０ａは、１３Ｒ確変大当りが決定されているときに［Ｄ２Ｈ０１Ｈ］を、７Ｒ確変大当りが決定されているときに［Ｄ２Ｈ０２Ｈ］を、２Ｒ確変大当り又は２Ｒ非確変大当りが決定されているときに［Ｄ２Ｈ０３Ｈ］をセットする。その後、主制御用ＣＰＵ３０ａは、特別図柄入力処理を終了する。
【００５３】
一方、ステップＳ１６の判定結果が否定（大当り判定用乱数の値と非確変用判定値が一致しない）の場合、主制御用ＣＰＵ３０ａは、検知した始動保留球に基づく図柄変動ゲームが、大当りとならないことを事前に認識することになる。その後、主制御用ＣＰＵ３０ａは、特別図柄入力処理を終了する。つまり、特別図柄入力処理において主制御用ＣＰＵ３０ａは、大当りとなる場合のみ先読みコマンドを生成することになる。
【００５４】
一方、ステップＳ１５の判定結果が否定の場合、主制御用ＣＰＵ３０ａは、ステップＳ１３で取得した大当り判定用乱数の値と確変用判定値を比較し、両値が一致するか否かを事前判定する事前判定処理を行う（ステップＳ１９）。ステップＳ１９の判定結果が肯定の場合、主制御用ＣＰＵ３０ａは、検知した始動保留球に基づく図柄変動ゲームが、大当りとなることを事前に認識することになる。
【００５５】
その後、主制御用ＣＰＵ３０ａは、ステップＳ１９の判定で用いた大当り判定用乱数とともに取得した特図振分用乱数が記憶された保留記憶数の記憶領域から特図振分用乱数の値を読み出すことで大当り図柄を確認する（ステップＳ２０）。そして、主制御用ＣＰＵ３０ａは、確認した大当り図柄を指示する先読みコマンド［Ｄ３ＨｘｘＨ］（図７参照）を送信用バッファにセットする（ステップＳ２１）。具体的に言えば、主制御用ＣＰＵ３０ａは、１３Ｒ確変大当りが決定されているときに［Ｄ３Ｈ０１Ｈ］を、７Ｒ確変大当りが決定されているときに［Ｄ３Ｈ０２Ｈ］を、２Ｒ確変大当り又は２Ｒ非確変大当りが決定されているときに［Ｄ３Ｈ０３Ｈ］をセットする。その後、主制御用ＣＰＵ３０ａは、特別図柄入力処理を終了する。
【００５６】
一方、ステップＳ１９の判定結果が否定（大当り判定用乱数の値と確変用判定値が一致しない）の場合、主制御用ＣＰＵ３０ａは、検知した始動保留球に基づく図柄変動ゲームが、大当りとならないことを事前に認識することになる。その後、主制御用ＣＰＵ３０ａは、特別図柄入力処理を終了する。本実施形態では、事前判定処理（ステップＳ１６，Ｓ１７，Ｓ１９，Ｓ２０）を行う主制御用ＣＰＵ３０ａが、事前判定手段として機能する。
【００５７】
図７は、本実施形態における特別図柄入力処理の処理結果に応じて出力される先読みコマンドを示す一覧表である。先読みコマンドは、［Ｄ２Ｈ］及び［Ｄ３ＨＨ］からなる上位バイトと［０１Ｈ〜０３Ｈ］からなる下位バイトの組み合わせによって構成されている。そして、各先読みコマンドには、特別図柄入力処理の対象となる始動保留球に関する情報が対応付けられている。具体的に言えば、下位バイトにその始動保留球に基づく図柄変動ゲームの変動内容（大当りの種類）が対応付けられている一方で、上位バイトに入球時点の大当り抽選の抽選確率が対応付けられている。
【００５８】
次に、特別図柄開始処理について図６に従って説明する。
主制御用ＣＰＵ３０ａは、図柄変動ゲームの実行中であるか否か、及び大当り遊技中であるか否かを判定する（ステップＳ３０）。ステップＳ３０の判定結果が肯定の場合、主制御用ＣＰＵ３０ａは、特別図柄開始処理を終了する。一方、ステップＳ３０の判定結果が否定（大当り中ではなく、かつゲーム中ではない）の場合、主制御用ＣＰＵ３０ａは、主制御用ＲＡＭ３０ｃに記憶されている保留記憶数を読み出す（ステップＳ３１）。続いて、主制御用ＣＰＵ３０ａは、ステップＳ３１で読み出した保留記憶数が「０（零）」よりも大きいか否か（保留中の図柄変動ゲームが存在するか否か）を判定する（ステップＳ３１）。
【００５９】
ステップＳ３１の判定結果が否定（保留記憶数＝０）の場合、主制御用ＣＰＵ３０ａは、保留中の図柄変動ゲームが存在しないため、特別図柄開始処理を終了する。一方、ステップＳ３１の判定結果が肯定（保留記憶数＞０）の場合、保留中の図柄変動ゲームが存在するので、主制御用ＣＰＵ３０ａは、保留記憶数を１減算する（ステップＳ３２）。また、主制御用ＣＰＵ３０ａは、１減算後の保留記憶数を表すように特別図柄保留表示装置１３の表示内容を変更する。また、主制御用ＣＰＵ３０ａは、減算後の保留記憶数を指示する保留指定コマンドを演出制御基板３１に出力するために送信バッファにセットする。
【００６０】
その後、主制御用ＣＰＵ３０ａは、最も早く記憶した保留記憶数に対応付けられて主制御用ＲＡＭ３０ｃの所定の記憶領域に記憶されている大当り判定用乱数、リーチ判定用乱数、及び特図振分用乱数などの各値を読み出す。なお、主制御用ＣＰＵ３０ａは、各乱数の値を読み出した後、保留記憶数「２」に対応する記憶領域に記憶されている各乱数を保留記憶数「１」に対応する記憶領域に記憶する。同様に、主制御用ＣＰＵ３０ａは、保留記憶数「３」に対応する記憶領域に記憶されている各乱数を保留記憶数「２」に対応する記憶領域に記憶する。同様に、主制御用ＣＰＵ３０ａは、保留記憶数「４」に対応する記憶領域に記憶されている各乱数を保留記憶数「３」に対応する記憶領域に記憶する。すなわち、主制御用ＣＰＵ３０ａは、図柄変動ゲームの実行（保留記憶数の１減算）に伴って、保留記憶数毎の情報（乱数の値）の記憶領域をシフトさせるシフト処理を実行する。
【００６１】
その後、主制御用ＣＰＵ３０ａは、確変フラグの設定値を確認することで、遊技状態が低確率状態であるか否かを判定する（ステップＳ３３）。ステップＳ３３の判定結果が肯定の場合、主制御用ＣＰＵ３０ａは、低確率状態での大当り抽選を行う（ステップＳ３４）。ステップＳ３４における大当り抽選は、大当り判定用乱数の値と非確変用判定値を比較し、両値が一致するか否かによって行う。そして、ステップＳ３４の判定結果が肯定の場合、主制御用ＣＰＵ３０ａは、低確率状態の大当り抽選で当選したことから、大当り変動となる図柄変動ゲームを実行させるための大当り変動処理を実行する（ステップＳ３５）。大当り変動処理において主制御用ＣＰＵ３０ａは、特別図柄表示装置１２に確定停止表示させる特別図柄として大当り図柄を決定するとともに、大当り変動用の変動パターンを選択し、決定する。なお、変動パターンを決定するに際し主制御用ＣＰＵ３０ａは、作動フラグの値から変短状態が付与されているか否かを判定し、その判定結果に応じて、大当り変動用の変動パターンを選択、決定する。また、本実施形態において特別図柄の大当り図柄は、大当りの種類毎に設定されていることから、大当り図柄を決定することによって遊技者に付与する大当りの種類を決定したことになる。その後、主制御用ＣＰＵ３０ａは、特別図柄開始処理を終了する。
【００６２】
一方、ステップＳ３３の判定結果が否定（高確率状態）の場合、主制御用ＣＰＵ３０ａは、高確率状態での大当り抽選を行う（ステップＳ３６）。ステップＳ３６における大当り抽選は、大当り判定用乱数の値と確変用判定値を比較し、両値が一致するか否かによって行う。そして、ステップＳ３６の判定結果が肯定の場合、主制御用ＣＰＵ３０ａは、高確率状態の大当り抽選で当選したことから、ステップＳ３５に移行する。
【００６３】
また、ステップＳ３４又はステップＳ３６の判定結果が否定（大当りではない）の場合、主制御用ＣＰＵ３０ａは、作動フラグの設定値を確認することで、遊技状態が、変短状態であるか否かを判定する（ステップＳ３７）。ステップＳ３７の判定結果が肯定の場合、本実施形態では、変短状態中のリーチ判定値を設定していないため、主制御用ＣＰＵ３０ａは、リーチなしのはずれ変動となる図柄変動ゲームを実行させるためのはずれ変動処理を実行する（ステップＳ３８）。はずれ変動処理において主制御用ＣＰＵ３０ａは、特別図柄表示装置１２に確定停止表示させる特別図柄としてはずれ図柄を決定するとともに、はずれ変動用の変動パターンを選択し、決定する。本実施形態では、変短状態が付与されているか否かに応じて変動パターン振分テーブルが分かれているため、ステップＳ３８では、変短状態用の変動パターン振分テーブルからはずれ変動用の変動パターンが選択される。その後、主制御用ＣＰＵ３０ａは、特別図柄開始処理を終了する。
【００６４】
一方、ステップＳ３７の判定結果が否定の場合、主制御用ＣＰＵ３０ａは、リーチ抽選を行う（ステップＳ３９）。リーチ抽選は、リーチ判定用乱数の値とリーチ判定値を比較し、両値が一致するか否かによって行う。そして、ステップＳ３９の判定結果が肯定の場合、主制御用ＣＰＵ３０ａは、リーチ抽選に当選したことから、はずれリーチ変動となる図柄変動ゲームを実行させるためのはずれリーチ変動処理を実行する（ステップＳ４０）。はずれリーチ変動処理において主制御用ＣＰＵ３０ａは、特別図柄表示装置１２に確定停止表示させる特別図柄としてはずれ図柄を決定するとともに、はずれリーチ変動用の変動パターンを選択し、決定する。ステップＳ４０では、非変短状態用の変動パターン振分テーブルからはずれリーチ変動用の変動パターンが選択される。その後、主制御用ＣＰＵ３０ａは、特別図柄開始処理を終了する。
【００６５】
また、ステップＳ３９の判定結果が否定（リーチではない）の場合、主制御用ＣＰＵ３０ａは、リーチ抽選に当選しなかったことから、はずれ変動処理を実行する（ステップＳ４１）。ステップＳ４１では、非変短状態用の変動パターン振分テーブルからはずれ変動用の変動パターンが選択される。その後、主制御用ＣＰＵ３０ａは、特別図柄開始処理を終了する。
【００６６】
特別図柄開始処理において特別図柄及び変動パターンを決定した主制御用ＣＰＵ３０ａは、決定事項にしたがって生成した制御コマンドを所定のタイミングで演出制御用ＣＰＵ３１ａに出力する。具体的に言えば、主制御用ＣＰＵ３０ａは、変動パターンを指示するとともに図柄変動ゲームの開始を指示する変動パターン指定コマンドを図柄変動ゲームの開始に際して最初に出力する。また、主制御用ＣＰＵ３０ａは、特別図柄を指示する特別図柄用の停止図柄指定コマンドを変動パターン指定コマンドの出力後、次に出力する。そして、主制御用ＣＰＵ３０ａは、指示した変動パターンに定められている変動時間の経過時に図柄変動ゲームの終了（図柄の確定停止）を指示する全停止コマンドを前記変動時間の経過に伴って出力する。
【００６７】
次に、大当り遊技終了後の遊技状態に関して主制御用ＣＰＵ３０ａが実行する制御を説明する。本実施形態において、主制御用ＣＰＵ３０ａは、大当り遊技の直前に行われた大当り変動の図柄変動ゲームで決定した大当り図柄（特別図柄）及び大当り抽選当選時の遊技状態に基づいて大当り遊技終了後の遊技状態を制御する。
【００６８】
主制御用ＣＰＵ３０ａは、１３Ｒ確変大当り遊技、７Ｒ確変大当り遊技、又は２Ｒ確変大当り遊技の終了後、主制御用ＲＡＭ３０ｃに記憶される確変フラグに「１」を設定する。一方、主制御用ＣＰＵ３０ａは、２Ｒ非確変大当り遊技の終了後、確変フラグに「０」を設定する。そして、主制御用ＣＰＵ３０ａは、確変フラグに「１」を設定した場合、演出制御基板３１（演出制御用ＣＰＵ３１ａ）に確変状態であることを示す確変コマンドを出力する一方で、確変フラグに「０」を設定した場合、非確変状態であることを示す非確変コマンドを出力する。
【００６９】
また、主制御用ＣＰＵ３０ａは、１３Ｒ確変大当り遊技又は７Ｒ確変大当り遊技の終了後、主制御用ＲＡＭ３０ｃに記憶される作動フラグに「１」を設定するとともに、変短状態が付与される残りの図柄変動ゲームの回数を示す作動回数として所定回数（本実施形態では１００００回）を主制御用ＲＡＭ３０ｃに設定する。主制御用ＣＰＵ３０ａは、作動フラグに「１」を設定すると、変短状態であることを示す作動コマンドを演出制御基板３１（演出制御用ＣＰＵ３１ａ）に出力する。また、主制御用ＣＰＵ３０ａは、２Ｒ確変大当り遊技又は２Ｒ非確変大当り遊技の終了後、大当り抽選の当選時の遊技状態が「高確＋変短なし」又は「低確＋変短なし」の場合、作動フラグに「０」を設定する。その一方で、主制御用ＣＰＵ３０ａは、２Ｒ確変大当り遊技又は２Ｒ非確変大当り遊技の終了後、大当り抽選の当選時の遊技状態が「高確＋変短あり」又は「低確＋変短あり」の場合、作動フラグに「１」を設定するとともに、作動回数として所定回数（本実施形態では５０回）を主制御用ＲＡＭ３０ｃに設定する。なお、主制御用ＣＰＵ３０ａは、作動フラグに「１」を設定した後、図柄変動ゲームの実行（変動パターン指定コマンドの出力）毎に、主制御用ＲＡＭ３０ｃに記憶されている作動回数を−１（１減算）する。主制御用ＣＰＵ３０ａは、作動回数が「０」に到達すると、図柄変動ゲームの終了後、作動フラグに「０」を設定するとともに、演出制御基板３１（演出制御用ＣＰＵ３１ａ）に、非変短状態であることを示す非作動コマンドを出力する。
【００７０】
次に、普通図柄に関して主制御用ＣＰＵ３０ａが実行する制御内容を説明する。
主制御用ＣＰＵ３０ａは、ゲート１９へ遊技球が入球し、該遊技球を検知したゲートスイッチＳＷ３が出力する検知信号を入力すると、普図当り判定用乱数の値を主制御用ＲＡＭ３０ｃから取得し、その値を普通図柄用の始動保留球の記憶数（以下、普図始動保留記憶数と示す）に対応付けて主制御用ＲＡＭ３０ｃに一時的に記憶する。なお、主制御用ＣＰＵ３０ａは、普図始動保留記憶数が上限数（本実施形態では４）に達していない場合、保留記憶数を１加算して保留記憶数を書き換える一方で、普図始動保留記憶数が上限数に達している場合、上限数を超える保留記憶数の書き換えを行わないとともに、普図当り判定用乱数の値も取得しない。
【００７１】
そして、主制御用ＣＰＵ３０ａは、普通図柄が変動表示中ではなく、普図当り遊技中ではないときに、普通図柄の保留記憶数に対応付けられて主制御用ＲＡＭ３０ｃに記憶した普図当り判定用乱数の値を読み出す。そして、主制御用ＣＰＵ３０ａは、該値と普図当り判定値とを比較し、普図当りか否かの普図当り判定（普図当り抽選）を行う。なお、普図当り判定において主制御用ＣＰＵ３０ａは、遊技状態が非変短状態である場合には、低確率用の普図当り判定値と普図当り判定用乱数の値を比較する一方で、遊技状態が変短状態である場合には、高確率用の普図当り判定値と普図当り判定用乱数の値を比較する。
【００７２】
そして、主制御用ＣＰＵ３０ａは、普図ゲームの開始に伴って普通図柄表示装置１４の表示内容を制御する。すなわち、主制御用ＣＰＵ３０ａは、普図ゲームの開始により普通図柄の変動を開始させ、予め定めた変動時間の経過時に決定した普通図柄（当り図柄又ははずれ図柄）を確定停止表示させる。なお、主制御用ＣＰＵ３０ａは、普図ゲームの開始時の遊技状態に応じて、普図ゲームの変動時間として異なる変動時間を設定し、普通図柄を確定停止表示させる。具体的に言えば、主制御用ＣＰＵ３０ａは、非変短状態の場合には変動時間として「１０（秒）」を設定し、変短状態の場合には変動時間として非変短状態よりも短い時間となる「１．１（秒）」を設定する。これにより、変短状態時に行われる普図ゲームの変動時間は、非変短状態時に行われる普図ゲームの変動時間よりも短縮される。
【００７３】
また、主制御用ＣＰＵ３０ａは、普図当りとなる普図ゲームの終了後、普図当り時の遊技状態に応じて、開閉羽根１６の開放態様を制御する。具体的に言えば、非変短状態において主制御用ＣＰＵ３０ａは、開閉羽根１６を第１開放時間（例えば、０．３（秒））で第１回数（例えば、１（回））分、開放させるように制御する。また、変短状態において主制御用ＣＰＵ３０ａは、開閉羽根１６を第２開放時間（例えば、１．４（秒））で第２回数（例えば、３（回））分、開放させるように制御する。
【００７４】
次に、演出制御基板３１の演出制御用ＣＰＵ３１ａが演出制御プログラムに基づき実行する各種の処理について説明する。
演出制御用ＣＰＵ３１ａは、変動パターン指定コマンドを入力すると、当該コマンドに指示される変動パターンに対応する演出内容（変動内容）をもとに、画像表示用データを選択する。また、演出制御用ＣＰＵ３１ａは、特別図柄用の停止図柄指定コマンドを入力すると、当該コマンドにしたがって演出表示装置１１に確定停止表示させる飾り図柄を決定する。具体的には、演出制御用ＣＰＵ３１ａは、特別図柄Ａ又は特別図柄Ｂに対応する大当り図柄が指定されている場合、飾り図柄の大当り図柄として確変大当りを認識できる大当り図柄を決定する。本実施形態における確変大当りを認識できる大当り図柄は、［１１１］［２２２］［３３３］［４４４］［５５５］［６６６］［７７７］で示す７種類に設定されている。また、演出制御用ＣＰＵ３１ａは、特別図柄Ｃ又は特別図柄Ｄに対応する大当り図柄が指定されている場合、飾り図柄の大当り図柄として確変大当りを認識し得ない大当り図柄（確変示唆の大当り図柄）を決定する。この確変示唆の大当り図柄は、全列の飾り図柄が同一図柄とならない図柄組み合わせによって構成されており、［１２１］［２３２］［３４３］［４５４］［５６５］［６７６］［７１７］で示す７種類に設定されている。本実施形態では、はずれとなるリーチ演出を変短状態中に実行させないように設定しているため、このような確変示唆の大当り図柄を設定することで、リーチ状態が形成された時点では、大当りの種類を特定できないようになっている。
【００７５】
また、演出制御用ＣＰＵ３１ａは、特別図柄としてはずれ図柄が指定されている場合、飾り図柄としてはずれ図柄を決定する。このとき、演出制御用ＣＰＵ３１ａは、はずれリーチ変動用の変動パターンが指定されている場合、リーチ図柄を含むはずれ図柄を決定する。また、演出制御用ＣＰＵ３１ａは、はずれ変動用の変動パターンが指示されている場合、飾り図柄として、リーチ図柄を含まないはずれの図柄組み合わせを生成する。
【００７６】
そして、演出制御用ＣＰＵ３１ａは、画像表示用データをもとに図柄変動ゲームを画像表示させるように演出表示装置１１の表示内容を制御する。また、図柄変動ゲーム中に全停止コマンドを入力すると、演出制御用ＣＰＵ３１ａは、決定した飾り図柄を演出表示装置１１に確定停止表示させて図柄変動ゲームを終了させる。
【００７７】
また、演出制御用ＣＰＵ３１ａは、確変コマンドや作動コマンドを入力すると、確変状態や変短状態が付与されたことを示す情報（フラグなど）を演出制御用ＲＡＭ３１ｃに設定する。そして、演出制御用ＣＰＵ３１ａは、確変コマンド、非確変コマンド、作動コマンド、及び非作動コマンドを入力するまで現在の設定内容を演出制御用ＲＡＭ３１ｃに記憶維持させる。演出制御用ＣＰＵ３１ａは、演出制御用ＲＡＭ３１ｃの前記設定内容によって、パチンコ遊技機の遊技状態が確変状態であるか否か、変短状態であるか否かを把握している。
【００７８】
このように構成された本実施形態のパチンコ遊技機では、変短状態中の図柄変動ゲームにて、指標変化演出としてのパラメータ変化演出が実行される。
以下、パラメータ変化演出について図１に従って説明する。
【００７９】
本実施形態では、変短状態中の背景画像として、戦場を連想させる画像が、複数回の図柄変動ゲームに亘って表示されるようになっている。さらに、本実施形態では、変短状態中、はずれとなるリーチ演出が行われないようになっているので、リーチ演出が実行されると大当りが確定することになる。そして、本実施形態では、背景画像の表示と併せて、図柄変動ゲーム中に、図１で示すような属性の異なる複数種類（実施形態では、３種類）のパラメータが表示され、各パラメータにおけるゲージ値の増減によって大当りとなる場合に付与される大当りの種類が示唆される。なお、本実施形態における属性とは、互いに違いを識別可能な種類又はテーマを指し、より詳しくは、敵キャラクタを攻撃するために必要な兵力に対応している。
【００８０】
本実施形態では、敵キャラクタを攻撃する際の攻撃力に関する攻撃力パラメータＭ１と、敵キャラクタからの攻撃を防御する際の防御力に関する防御力パラメータＭ２と、味方キャラクタの体力に関する体力パラメータＭ３が設定されている。また、以下の説明では、これらのパラメータＭ１〜Ｍ３を纏めてパラメータＭと示す場合がある。各パラメータＭ１〜Ｍ３は、１１個の段階によって構成されており、ゲージ値は、「０（最小値）」〜「１０（最大値）」の値に設定されている。さらに、本実施形態では、ＭＡＸ値に到達しているパラメータＭの個数と大当りの種類を対応付けている。具体的には、ＭＡＸ値に到達しているパラメータＭの個数が１個又は２個の場合、１３Ｒ確変大当り又は７Ｒ確変大当りが決定されていることが示唆される。一方、ＭＡＸ値に到達しているパラメータＭの個数が３個（全部）の場合、１３Ｒ確変大当りが決定されていることが確定的に示唆される。したがって、ＭＡＸ値に到達していないときには、全ての大当りの可能性がある。
【００８１】
なお、パラメータＭによる大当りの種類への期待度の示唆は、遊技者が大当りとなる場合の大当りの種類を推測するための指標であるため、パラメータＭにおけるゲージ値が指標情報となる。ただし、パラメータ変化演出は、大当りの種類への期待度を遊技者に示唆するための指標であるため、大当りとなるか否か及び大当りの種類は、大当り抽選に当選した際の抽選結果に基づいて決定される。そして、これらのパラメータＭ１〜Ｍ３は、夫々独立して同時にゲージ値が変化可能となっている。本実施形態では、ゲージ値「０」が初期段階の指標情報となる一方で、ゲージ値「１０」が最終段階の指標情報となる。
【００８２】
また、本実施形態では、大当りとなる始動保留球（以下、対象始動保留球と示す）が存在している場合、対象始動保留球に基づくゲームを含む当該ゲームに至るまでのゲージ値の変化態様を、対象始動保留球に基づく判定結果（事前判定結果）に従って決定し、その決定結果に従ってパラメータ変化演出を実行させるようになっている。その一方で、大当りとなる始動保留球が存在していない場合には、大当りとなる事前判定結果を参照することなく図柄変動ゲーム毎にそれぞれゲージ値の変化態様を決定し、その決定結果に従ってパラメータ変化演出を実行させるようになっている。以下、大当りとなる事前判定結果を参照することなく図柄変動ゲーム毎にそれぞれゲージ値の変化態様を決定することで実行されるパラメータ変化演出を「独立パラメータ変化演出」と示す。その一方で、対象始動保留球に基づくゲームを含む当該ゲームに至るまでのゲージ値の変化態様を決定することで実行されるパラメータ変化演出を「関連パラメータ変化演出」と示す。なお、独立パラメータ変化演出及び関連パラメータ変化演出では、いずれも１回の図柄変動ゲームにおいてパラメータＭの変化（維持を含む）が１回行われるようになっているため、これらの違いを見分け難くなっている。
【００８３】
以下、パラメータ変化演出を実行するために演出制御用ＣＰＵ３１ａが実行する制御内容について説明する。
本実施形態において演出制御用ＣＰＵ３１ａは、パラメータ変化演出の実行に際し、ゲージ値の変動方向、ゲージ値を変化させる対象となるパラメータＭの種類、ゲージ値の変化量の順にパラメータ変化演出の実行に必要な要素を順次決定する。なお、本実施形態では、「ゲージ値の変動方向」、「ゲージ値を変化させる対象となるパラメータＭの種類」、及び「ゲージ値の変化量」を合わせたものが「ゲージ値の変化態様」に該当する。ちなみに、パラメータ変化演出開始時の各ゲージ値は、演出制御用ＣＰＵ３１ａによってランダムに決定される。
【００８４】
図８（ａ）〜（ｃ）及び図９（ａ）〜（ｃ）は、ゲージ値の変動方向を決定する際に参照される変動方向決定テーブルＴ１〜Ｔ６を示す。これらのテーブルＴ１〜Ｔ６は、各図柄変動ゲームの開始時にＭＡＸ値に到達しているパラメータＭの有無、先読みコマンドの有無、及び先読みコマンドによって指示される大当りの種類によって大別される。
【００８５】
より詳しくは、図８（ａ）に示すテーブルＴ１は、ＭＡＸ値に到達しているパラメータＭが存在しているとともに１３Ｒ確変大当り又は７Ｒ確変大当りを指示する先読みコマンドが記憶されている場合に参照されるテーブルである。図８（ｂ）に示すテーブルＴ２は、ＭＡＸ値に到達しているパラメータＭが存在しているとともに２Ｒ確変大当り又は２Ｒ非確変大当りを指示する先読みコマンドが記憶されている場合に参照されるテーブルである。図８（ｃ）に示すテーブルＴ３は、ＭＡＸ値に到達しているパラメータＭが存在している一方で、先読みコマンドが記憶されていない場合に参照されるテーブルである。
【００８６】
また、図９（ａ）に示すテーブルＴ４は、ＭＡＸ値に到達しているパラメータＭが存在していない一方で、１３Ｒ確変大当り又は７Ｒ確変大当りを指示する先読みコマンドが記憶されている場合に参照されるテーブルである。図９（ｂ）に示すテーブルＴ５は、ＭＡＸ値に到達しているパラメータＭが存在していない一方で、２Ｒ確変大当り又は２Ｒ非確変大当りを指示する先読みコマンドが記憶されている場合に参照されるテーブルである。なお、テーブルＴ５は、ＭＡＸ値に到達しているパラメータＭが存在していないとともに先読みコマンドが記憶されておらず、かつ図柄変動ゲーム実行時の抽選確率が低確率状態である場合にも参照される。図９（ｃ）に示すテーブルＴ６は、ＭＡＸ値に到達しているパラメータＭが存在していないとともに先読みコマンドが記憶されておらず、かつ図柄変動ゲーム実行時の抽選確率が高確率状態である場合に参照されるテーブルである。
【００８７】
これらのテーブルＴ１〜Ｔ６では、変短状態時に選択可能な変動パターンＰ４〜Ｐ７に対して、パラメータＭの変動方向として「維持」、「上昇」、「減少」、又は「補正」のうち何れかの変動方向が決定されるように所定個数ずつ乱数値を振り分けて選択割合を設定している。なお、「維持」とは、ゲージ値を変化させない態様を示す一方で、「上昇」とは、ゲージ値を増加させる態様を示す。また、「減少」とは、ゲージ値を維持又は減少させる態様を示す一方で、「補正」とは、ゲージ値を維持又は減少させる態様を示し、特にＭＡＸ値に到達した場合には、ゲージ値を減少させる態様を示す。また、テーブルＴ１〜Ｔ６では、パラメータＭの変動方向が決定されるのみに留まり、その変化値やゲージ値を変化させる対象となるパラメータＭ（以下、変化対象パラメータＭと示す）の種類は、別の処理で決定される。
【００８８】
図８（ａ）に示すテーブルＴ１では、関連パラメータ変化演出においてゲージ値が減少し難く、かつ関連パラメータ変化演出が終了する最終回の図柄変動ゲームにおいてＭＡＸ値を維持し易い構成となっている。具体的には、変短状態時に最も選択され易いはずれ変動用の変動パターンＰ４では、「維持」が最も選択され易い一方で、「減少」及び「補正」が選択され難くなるように設定している。したがって、変短状態時に最も選択され易いはずれ変動用の変動パターンＰ４が選択された場合、ＭＡＸ値を維持し易くなる。また、はずれ変動用の変動パターンＰ５においても、「維持」が最も選択され易い一方で、「減少」及び「補正」が選択され難くなるように設定しているが、変動パターンＰ４よりも「上昇」が選択され易くなるように設定している。これにより、はずれ変動用の変動パターンＰ５が選択された場合、ＭＡＸ値を維持し易いとともに、変動パターンＰ４が選択された場合に比してゲージ値が上昇し易くなるので、ゲージ値が上昇した際には、変動パターンＰ５に定められた変動内容からリーチとなることに期待を持たせることができる。
【００８９】
また、大当り変動用の変動パターンＰ６では、「上昇」が選択され易い一方で、「減少」及び「補正」が選択され難くなるように設定している。これにより、関連パラメータ変化演出が終了する最終回の図柄変動ゲームまでにゲージ値がＭＡＸ値に到達していなくても、最終回の図柄変動ゲームにおいてＭＡＸ値に到達する可能性が高くなる。また、大当り変動用の変動パターンＰ７では、「補正」のみが選ばれるように設定している。したがって、２Ｒ確変大当り又は２Ｒ非確変大当りに当選している場合、ＭＡＸ値に到達した状態でリーチ演出が行われることがない。つまり、ＭＡＸ値に到達した状態でリーチ演出が行われることにより、１３Ｒ確変大当り又は７Ｒ確変大当りに当選していることが示唆されることになり、リーチ演出が行われる前段階のゲージ値がＭＡＸ値に到達しているか否かが重要となる。ちなみに、１３Ｒ確変大当り又は７Ｒ確変大当りを指示する先読みコマンドが記憶されている状態で２Ｒ確変大当り又は２Ｒ非確変大当りに当選する状況は、以下のような状態によって生じる。すなわち、本実施形態では、２Ｒ確変大当り又は２Ｒ非確変大当りとなる始動保留球の後（先読みコマンド設定されず）に１３Ｒ確変大当り又は７Ｒ確変大当りとなる始動保留球（先読みコマンド設定あり）が記憶されている場合に、前述した状況が生じる。
【００９０】
一方、図８（ｂ）に示すテーブルＴ２では、関連パラメータ変化演出において、１３Ｒ確変大当り又は７Ｒ確変大当りを指示する先読みコマンドが記憶されている場合に比してゲージ値が減少し易く、かつ関連パラメータ変化演出が終了する最終回の図柄変動ゲームにおいてＭＡＸ値に到達させない構成となっている。具体的には、はずれ変動用の変動パターンＰ４では、「維持」が最も選択され易いが、テーブルＴ１（図８（ａ））に比して「補正」も選択され易くなるように設定している。したがって、変短状態時に最も選択され易いはずれ変動用の変動パターンＰ４が選択された場合、ＭＡＸ値を維持し易いが、ＭＡＸ値からゲージ値が減少する割合が、１３Ｒ確変大当り又は７Ｒ確変大当りを指示する先読みコマンドが記憶されている場合に比して高くなる。また、はずれ変動用の変動パターンＰ５においても、「維持」が最も選択され易い一方で、テーブルＴ１（図８（ａ））に比して「補正」が選択され易くなるように設定しているが、変動パターンＰ４よりも「上昇」が選択され易くなるように設定している。これにより、はずれ変動用の変動パターンＰ５が選択された場合、ＭＡＸ値を維持し易いが、ＭＡＸ値からゲージ値が減少する割合も高くなる。ただし、変動パターンＰ４が選択された場合に比してゲージ値が上昇し易くなるので、ゲージ値が上昇した際には、変動パターンＰ５に定められた変動内容からリーチとなることに期待を持たせることができる。
【００９１】
また、大当り変動用の変動パターンＰ６では、「維持」及び「上昇」も選択され易いものの、「減少」が最も選択され易くなるように設定している。これにより、１３Ｒ確変大当り又は７Ｒ確変大当りに当選しているが、ＭＡＸ値に到達していない状態でリーチ演出が実行される場合もあり得る。ちなみに、２Ｒ確変大当り又は２Ｒ非確変大当りを指示する先読みコマンドが記憶されている状態で１３Ｒ確変大当り又は７Ｒ確変大当りに当選する状況は、以下のような状態によって生じる。すなわち、本実施形態では、１３Ｒ確変大当り又は７Ｒ確変大当りとなる始動保留球の後（先読みコマンド設定されず）に２Ｒ確変大当り又は２Ｒ非確変大当りとなる始動保留球（先読みコマンド設定あり）が記憶されている場合に、前述した状況が生じる。また、大当り変動用の変動パターンＰ７では、「補正」のみが選ばれるように設定している。したがって、２Ｒ確変大当り又は２Ｒ非確変大当りに当選している場合、ＭＡＸ値に到達していたとしても変動パターンＰ７が選択された際には、「補正」によってＭＡＸ値からゲージ値が減少されるので、ＭＡＸ値に到達した状態でリーチ演出が行われることがない。
【００９２】
また、図８（ｃ）に示すテーブルＴ３では、当該テーブルを参照して変動方向が決定されるということは、基本的には大当りとなる始動保留球が存在していないため、ＭＡＸ値を維持し易い構成となっている。具体的には、はずれ変動用の変動パターンＰ４，Ｐ５では、「維持」が最も選択され易くなるように構成している。したがって、はずれ変動用の変動パターンＰ４，Ｐ５が選択された場合、ＭＡＸ値を維持し易くなる。ただし、変動パターンＰ５では、変動パターンＰ４よりも「上昇」が選択され易くなるように設定しているので、ゲージ値が上昇した際には、変動パターンＰ５に定められた変動内容からリーチとなることに期待を持たせることができる。また、本実施形態では、ゲージ値がＭＡＸ値に到達した状態でリーチ演出が実行された場合に１３Ｒ確変大当り又は７Ｒ確変大当りに当選していることが示唆されることになるので、ＭＡＸ値を維持し易い構成とすることで、１３Ｒ確変大当り又は７Ｒ確変大当りに当選していることに期待を持たせることができる。
【００９３】
また、大当り変動用の変動パターンＰ６では、「維持」又は「上昇」が選択されるものの、「減少」が最も選択され易くなるように設定している。これにより、１３Ｒ確変大当り又は７Ｒ確変大当りに当選している場合、ＭＡＸ値に到達していない状態でリーチ演出が実行される場合もあり得る。また、大当り変動用の変動パターンＰ７では、「補正」のみが選ばれるように設定している。したがって、２Ｒ確変大当り又は２Ｒ非確変大当りに当選している場合、ＭＡＸ値に到達した状態でリーチ演出が行われることがない。
【００９４】
また、図９（ａ）に示すテーブルＴ４では、関連パラメータ変化演出においてゲージ値が減少し難くなっている一方で、ＭＡＸ値に到達していないことにより、テーブルＴ１（図８（ａ））よりもゲージ値を上昇させ易い構成となっている。ただし、テーブルＴ４では、あくまでも「上昇」させ易い構成であって、必ずしもＭＡＸ値に到達させるわけではない。具体的には、はずれ変動用の変動パターンＰ４では、「上昇」が最も選択され易い一方で、「減少」及び「補正」が選択され難くなるように設定している。また、テーブルＴ１（図８（ａ））よりも「上昇」が選択され易くなるように設定している。したがって、変短状態時に最も選択され易いはずれ変動用の変動パターンＰ４が選択された場合、ゲージ値が上昇し易くなる。つまり、ゲージ値の上昇により、ＭＡＸ値に到達してリーチ演出が実行されることに期待を持たせることができる。また、はずれ変動用の変動パターンＰ５においても、テーブルＴ１（図８）よりも「上昇」が選択され易く、かつ変動パターンＰ４よりも「上昇」が選択され易くなるように設定している。これにより、はずれ変動用の変動パターンＰ５が選択された場合、変動パターンＰ４が選択された場合に比してゲージ値が上昇し易くなるので、ゲージ値が上昇した際には、変動パターンＰ５に定められた変動内容からリーチとなることに期待を持たせることができる。
【００９５】
また、大当り変動用の変動パターンＰ６では、「上昇」が最も選択され易く、かつテーブルＴ１（図８（ａ））に比して「上昇」の選択割合が高くなるように設定している。ただし、テーブルＴ１（図８（ａ））に比して「補正」の選択割合が高くなるように設定している。これにより、ＭＡＸ値に到達しているパラメータＭが存在していない場合、１３Ｒ確変大当り又は７Ｒ確変大当りを指示する先読みコマンドが記憶されていたとしても、最終的にＭＡＸ値に到達しない状態でリーチ演出が実行される場合もある。また、大当り変動用の変動パターンＰ７が選択された場合、「上昇」又は「減少」が選択され易くなるように設定しているが、「補正」を考慮すると、上昇側よりも減少側が選択され易い。したがって、ＭＡＸ値に到達しているパラメータＭが存在していない状態で２Ｒ確変大当り又は２Ｒ非確変大当りとなる始動保留球が存在しているに場合には、最終回よりも前の図柄変動ゲームでゲージ値が上昇する場合もあるが、最終的にはＭＡＸ値に到達しない状態でリーチ演出が実行される。
【００９６】
一方、図９（ｂ）に示すテーブルＴ５では、テーブルＴ２（図８（ｂ））よりもゲージ値を上昇させ難い構成となっている。具体的には、はずれ変動用の変動パターンＰ４では、「上昇」を選択させることなく、「維持」及び「補正」が選択され易くなるように設定している。したがって、変短状態時に最も選択され易いはずれ変動用の変動パターンＰ４が選択された場合、ＭＡＸ値を「維持」又は「減少」させ易いが、ゲージ値が上昇することがない。また、はずれ変動用の変動パターンＰ５では、「上昇」又は「補正」が選択され易くなるように設定しているが、「減少」を考慮すると、上昇側よりも減少側が選択され易い。したがって、はずれ変動用の変動パターンＰ５が選択された場合、変動パターンＰ４が選択された場合に比してゲージ値が上昇し易くなるが、ゲージ値が「維持」又は「減少」することもある。また、本実施形態では、変短状態中のはずれ変動用の変動パターンの選択割合として、変動パターンＰ５よりも変動パターンＰ４を高く設定しているので、変短状態中にゲージ値が上昇する確率は極めて低い。
【００９７】
また、大当り変動用の変動パターンＰ６では、「上昇」が選択され易くなるように設定しているが、「減少」及び「補正」を考慮すると、減少側にも変動し易い。ただし、テーブルＴ４（図９（ａ））に比して「上昇」が選択され難くなるように設定している。したがって、ＭＡＸ値に到達しているパラメータＭが存在していない場合、テーブルＴ４（図９（ａ））が選択された場合に比して、ゲージ値が上昇し難い。また、大当り変動用の変動パターンＰ７では、減少側に変動し易くなるように設定しているが、「上昇」も選択されるように設定している。したがって、ＭＡＸ値に到達しているパラメータＭが存在していないとともに２Ｒ確変大当り又は２Ｒ非確変大当りを指示する先読みコマンドが記憶されている場合、最終的にゲージ値を減少させ易くなっているが、ゲージ値が上昇することもある。ただし、ＭＡＸ値に到達した状態でリーチ演出が行われることがない。
【００９８】
なお、テーブルＴ５は、ＭＡＸ値に到達しているパラメータＭが存在していないとともに先読みコマンドが記憶されておらず、かつ低確率状態である場合にも選択されるようになっている。これにより、大当り抽選の抽選確率が低確率状態である場合には、ゲージ値が上昇し難いことになる。したがって、ＭＡＸ値に到達していない状態でゲージ値が上昇し難くなっているときには、大当り抽選の抽選確率が低確率状態である可能性が高いことが示唆されることになる。
【００９９】
また、図９（ｃ）に示すテーブルＴ６では、テーブルＴ５（図９（ｂ））よりもゲージ値を上昇させ易く、かつゲージ値を上昇させた状態を維持させ易い構成となっている。具体的には、はずれ変動用の変動パターンＰ４では、「維持」が最も選択され易くなるように設定している一方で、テーブルＴ５（図９（ｂ））に比して「上昇」が選択され易くなるように設定している。したがって、変短状態時に最も選択され易いはずれ変動用の変動パターンＰ４が選択された場合、ＭＡＸ値を「維持」させ易く、かつテーブルＴ５（図９（ｂ））が選択された場合に比してゲージ値が上昇し易い。また、はずれ変動用の変動パターンＰ５では、「上昇」又は「補正」が選択され易くなるように設定しているが、「減少」を考慮すると、上昇側よりも減少側が選択され易い。ただし、テーブルＴ５（図９（ｂ））に比して「上昇」が選択され易くなるように設定している。したがって、はずれ変動用の変動パターンＰ５が選択された場合、変動パターンＰ４が選択された場合に比してゲージ値が上昇し易くなるが、ゲージ値が減少することもある。また、大当り変動用の変動パターンＰ６，Ｐ７では、テーブルＴ５（図９（ｂ））と同一の選択割合となるように設定されている。
【０１００】
なお、テーブルＴ６は、ＭＡＸ値に到達しているパラメータＭが存在していないとともに先読みコマンドが記憶されておらず、かつ高確率状態である場合に選択されるようになっている。これにより、大当り抽選の抽選確率が高確率状態である場合には、大当り抽選の抽選確率が低確率状態である場合に比して、ゲージ値が上昇し易く、かつゲージ値を上昇させた状態を維持し易いことになる。したがって、ＭＡＸ値に到達していない状態でゲージ値が上昇し易くなっているときには、大当り抽選の抽選確率が高確率状態である可能性が高いことが示唆されることになる。
【０１０１】
そして、本実施形態では、先読みコマンドが記憶されている場合、先読みコマンドが対応付けられている始動保留球に基づく図柄変動ゲームが消化される迄、その先読みコマンドで指定される大当りの種類に応じて大別された変動方向決定テーブルの中から変動方向を決定させている（図８（ａ），（ｂ），図９（ａ），（ｂ））。これにより、先読みコマンドが記憶されているときには、対象始動保留球よりも前の始動保留球に基づく図柄変動ゲームから、対象始動保留球に基づく図柄変動ゲームに至るまでのゲージ値の変化態様に関連性を持たせることができる。また、記憶されている先読みコマンドで指示される大当りの種類が遊技者にとって有利度が高いほど、最終回よりも前の図柄変動ゲームから「上昇」が決定され易くなっているか、又はＭＡＸ値を維持し易くなっている（図８（ａ）及び図９（ａ））。
【０１０２】
一方、記憶されている先読みコマンドで指示される大当りの種類が遊技者にとって有利度が低い場合、ＭＡＸ値に到達しているパラメータＭが存在しているときには、最終回よりも前の図柄変動ゲームでＭＡＸ値を維持し易いが、最終回の図柄変動ゲームにおいてＭＡＸ値を維持することがない（図８（ｂ））。つまり、本実施形態では、同一の大当りを指示する先読みコマンドが記憶されている場合であっても、ＭＡＸ値に到達しているパラメータＭが存在する場合は、存在しない場合に比べてゲージ値が上昇し易い。また、記憶されている先読みコマンドで指定される大当りの種類が遊技者にとって有利度が低い場合、ゲージ値が上昇し難い（図９（ｂ））。
【０１０３】
図１０は、テーブルＴ１〜Ｔ６にてゲージ値の変動方向を決定した後に、決定した変動方向でゲージ値を変化させる対象パラメータを決定する際に参照される変化対象決定テーブルＴ７である。テーブルＴ７では、テーブルＴ１〜Ｔ６のうちいずれかを用いて決定したパラメータＭの変動方向に対して、図柄変動ゲームの開始時にＭＡＸ値に到達しているパラメータＭの有無に応じて、変化対象パラメータを選択可能となるように乱数値を振分けて選択割合を設定している。より詳しくは、ＭＡＸ値に到達しているパラメータが存在する場合には、そのパラメータＭの種類に応じて変化対象パラメータが選択される一方で、ＭＡＸ値に到達しているパラメータＭが存在していない場合には、各パラメータＭ１〜Ｍ３におけるゲージ値の大小に応じて変化対象パラメータが選択されるように設定している。
【０１０４】
具体的には、変動方向として「維持」を決定した場合、ＭＡＸ値に到達しているパラメータＭの有無にかかわらず、変化対象パラメータを決定することなく、「変化無し」のみが選択されるように選択割合を設定している。また、変動方向として「補正」を決定した場合、ＭＡＸ値に到達しているパラメータＭが存在しているときには、そのパラメータＭを補正態様として必ず決定するが、併せてＭＡＸ値に到達していないパラメータＭも補正対象として決定する場合もある。
【０１０５】
例えば、パラメータＭ１〜Ｍ３全てにおいてＭＡＸ値に到達している場合、「補正」の対象となる変化対象パラメータとして、パラメータＭ１〜Ｍ３が決定される。また、防御力パラメータＭ２及び体力パラメータＭ３においてＭＡＸ値に到達している場合、「補正」の対象となる変化対象パラメータとして、防御力パラメータＭ２及び体力パラメータＭ３が決定される場合と、パラメータＭ１〜Ｍ３が決定される場合とがある。
【０１０６】
一方、変動方向として「減少」を決定した場合、本実施形態では、最もゲージ値の大きいパラメータＭを減少対象として決定し易い一方で、最もゲージ値の小さいパラメータＭを減少対象として決定し難くなるように選択割合を設定している。ただし、変動方向として「減少」を決定した場合、ＭＡＸ値に到達しているパラメータＭの有無を問わず、同一の選択割合を設定している。例えば、攻撃力パラメータＭ１≦防御力パラメータＭ２≦体力パラメータＭ３の順にゲージ値が大きい場合、「減少」の対象となる変化対象パラメータとして、最もゲージ値の大きい体力パラメータＭ３のみが決定され易くなるように設定している。ただし、その次に、次にゲージ値が大きい防御力パラメータＭ２と体力パラメータＭ３の２つを変化対象パラメータとして決定する割合と、防御力パラメータＭ２のみを変化対象パラメータとして決定する割合が高くなるように設定している。その一方で、最もゲージ値が小さい攻撃力パラメータＭ１を変化対象パラメータとして決定する割合が低くなるように設定している。また、変動方向として「補正」を決定した場合、ＭＡＸ値に到達しているパラメータＭが存在していないときには、変動方向として「減少」を決定した場合と同様に変化対象パラメータが決定される。
【０１０７】
一方、変動方向として「上昇」を決定した場合、本実施形態では、最もゲージ値の小さいパラメータＭを上昇対象として決定し易い一方で、最もゲージ値の大きいパラメータＭを上昇対象として決定し難くなるように選択割合を設定している。ただし、変動方向として「上昇」を決定した場合、ＭＡＸ値に到達しているパラメータＭの有無を問わず、同一の選択割合を設定している。例えば、攻撃力パラメータＭ１≦防御力パラメータＭ２≦体力パラメータＭ３の順にゲージ値が大きい場合、「上昇」の対象となる変化対象パラメータとして、最もゲージ値の小さい攻撃力パラメータＭ１のみが決定され易くなるように設定している。ただし、その次に、次にゲージ値が大きい防御力パラメータＭ２とパラメータＭ１の２つを変化対象パラメータとして決定する割合と、防御力パラメータＭ２のみを変化対象パラメータとして決定する割合が高くなるように設定している。その一方で、最もゲージ値が大きい体力パラメータＭ３を変化対象パラメータとして決定する割合が低くなるように設定している。
【０１０８】
図１１〜図１３は、ゲージ値の変動方向及び変化対象パラメータを決定した後に、変化後のゲージ値を決定する際に参照される、攻撃力パラメータＭ１用の変化量決定テーブルＴ８（図１１）、防御力パラメータＭ２用の変化量決定テーブルＴ９（図１２）、及び体力パラメータＭ３用の変化量決定テーブルＴ１０（図１３）である。
【０１０９】
これらのテーブルＴ８〜Ｔ１０では、決定したパラメータＭの変動方向毎に、現在のゲージ値（変化前ゲージ値）に応じて変化後のゲージ値として「０」〜「１０」のうちいずれかが選択されるように所定個数ずつ乱数値を振分けて選択割合を設定している。なお、テーブルＴ８〜Ｔ１０では、各乱数値の個数を異ならせている。具体的には、テーブルＴ８では、０〜１３０で示す１３１種類の整数を用いる一方で、テーブルＴ９では、０〜１３８で示す１３９種類の整数を用いている。また、テーブルＴ１０では、０〜１５６で示す１５７種類の整数を用いている。
【０１１０】
例えば、「維持」の対象として攻撃力パラメータＭ１が決定された場合、テーブルＴ８では、変化前ゲージ値と変化後ゲージ値が同一となるように選択割合を設定している。また、「上昇」の対象として攻撃力パラメータＭ１が決定された場合、変化後ゲージ値として、変化前ゲージ値以上の値（ＭＡＸ値を含む）が選択されるように設定している。ただし、変化前ゲージ値が「０」〜「４」のうちいずれかである場合、変化後ゲージ値として必ず変化前ゲージ値よりも大きい値が洗濯されるように設定している。一方、「減少」の対象として攻撃力パラメータＭ１が決定された場合、変化後ゲージ値として、変化前ゲージ値以下の値が選択されるように設定している。ただし、変化前ゲージ値が「１０」〜「３」のうちいずれかである場合、変化後ゲージ値として「０」が選択されることがないように設定している。また、「補正」の対象として攻撃力パラメータＭ１が決定された場合、変化後ゲージ値として変化前ゲージ値と同一の値、又は変化前ゲージ値よりも１〜２小さい値が選択されるように設定している。ただし、変化前ゲージ値がＭＡＸ値（１０）であった場合、変化後ゲージ値として「１０」が選ばれることがないように設定している。したがって、関連パラメータ変化演出を伴って実行される最終回の図柄変動ゲームの実行時にパラメータＭがＭＡＸ値に到達しているときに「補正」が選択されたのであれば、必ずＭＡＸ値に達した状態でリーチ演出が実行されることがない。以下、テーブルＴ９及びテーブルＴ１０においても、テーブルＴ８と同一のルールにて変化後ゲージ値が設定されている。
【０１１１】
次に、演出制御用ＣＰＵ３１ａがこれらのテーブルＴ１〜Ｔ１０を用いてパラメータ変化演出を実行するための制御内容について説明する。
最初に、先読みコマンドの入力時に演出制御用ＣＰＵ３１ａが実行する先読みコマンド設定処理について図１４に従って説明する。
【０１１２】
先読みコマンド設定処理において演出制御用ＣＰＵ３１ａは、先読みコマンドを入力したか否かを判定する（ステップＳ２００）。ステップＳ２００の判定結果が否定の場合、演出制御用ＣＰＵ３１ａは先読みコマンド設定処理を終了する。一方、ステップＳ２００の判定結果が肯定の場合、演出制御用ＣＰＵ３１ａは、今回入力した先読みコマンドよりも前に先読みコマンドが記憶されているか否かを判定する（ステップＳ２０１）。ステップＳ２０１の判定結果が肯定の場合、今回入力した先読みコマンドよりも前の始動保留球に先読みコマンドが対応付けて記憶されていることになるため、演出制御用ＣＰＵ３１ａは、今回入力した先読みコマンドを始動保留球に対応付けて記憶させることなく、先読みコマンド設定処理を終了する。
【０１１３】
その一方、ステップＳ２０１の判定結果が否定の場合、今回入力した先読みコマンドよりも前の始動保留球に先読みコマンドが対応付けて記憶されていないため、演出制御用ＣＰＵ３１ａは、今回入力した先読みコマンドを始動保留球に対応付けて記憶させる。加えて、演出制御用ＣＰＵ３１ａは、入力した先読みコマンドの種類を認識可能な値を実行中フラグにセットする（ステップＳ２０２）。実行中フラグとは、先読みコマンドに基づく関連パラメータ変化演出の実行中であるか否かを示すフラグである。具体的には、演出制御用ＣＰＵ３１ａは、１３Ｒ確変大当りを指示する先読みコマンドを入力すると、実行中フラグに「１」をセットする一方で、７Ｒ確変大当りを指示する先読みコマンドを入力すると、実行中フラグに「２」をセットする。また、演出制御用ＣＰＵ３１ａは、２Ｒ確変大当り又は２Ｒ非確変大当りを指示する先読みコマンドを入力すると、実行中フラグに「３」をセットする。その後、演出制御用ＣＰＵ３１ａは、先読みコマンド設定処理を終了する。
【０１１４】
このように、今回入力した先読みコマンドよりも前の始動保留球に対応付けて先読みコマンドが記憶されていない場合に限って、今回入力した先読みコマンドを設定することで、次回の図柄変動ゲームの開始時に、適切な変動方向決定テーブルを決定することができる。つまり、本実施形態では、先読みコマンドの上書きが行われない。そして、本実施形態では、このような制御内容により、保留中の始動保留球に基づく図柄変動ゲームで実行される関連パラメータ変化演出を、先読みコマンドで指定される大当りの変動内容に関連付けて実行させることができる。なお、実行中フラグに設定された値及び先読みコマンドは、大当り遊技の開始時にリセットされる。
【０１１５】
また、始動保留球に対応付けて記憶した事前判定コマンドは、その始動保留球に基づく図柄変動ゲームの開始に伴って、記憶領域内において入力順が最先のコマンドから順に１つ消去される（シフト処理）。これにより、主制御用ＲＡＭ３０ｃに記憶されている始動保留球に関する情報の記憶数と演出制御用ＲＡＭ３１ｃに記憶されている先読みコマンドの記憶数は一致する。
【０１１６】
次に、テーブルＴ１〜Ｔ６のうち何れかのテーブルを用いて変動方向を決定する変動方向決定処理について図１５に従って説明する。
まず、演出制御用ＣＰＵ３１ａは、変動パターン指定コマンドを入力したか否かを判定する（ステップＳ３００）。ステップＳ３００の判定結果が否定の場合、演出制御用ＣＰＵ３１ａは変動方向決定処理を終了する。一方、ステップＳ３００の判定結果が肯定の場合、演出制御用ＣＰＵ３１ａは、１３Ｒ確変大当り又は７Ｒ確変大当りを指示する先読みコマンドが記憶されているか否かを判定する（ステップＳ３０１）。ステップＳ３０１の判定結果が肯定の場合、演出制御用ＣＰＵ３１ａは、変動方向決定処理の実行時において、パラメータＭ１〜Ｍ３のうち何れかのパラメータがＭＡＸ値に到達しているか否かを判定する（ステップＳ３０２）。ちなみに、本実施形態では、ＭＡＸ値の有無及びＭＡＸ値に到達しているパラメータＭの種類をフラグ値によって認識し得るように設定している。
【０１１７】
ステップＳ３０２の判定結果が肯定（ＭＡＸ値に到達しているパラメータＭあり）の場合、演出制御用ＣＰＵ３１ａは、ステップＳ３０１及びステップＳ３０２を肯定判定したことに基づいて、テーブルＴ１（図８（ａ））を選択する（ステップＳ３０３）。その後、演出制御用ＣＰＵ３１ａは、ステップＳ３０４に移行する。一方、ステップＳ３０２の判定結果が否定（ＭＡＸ値に到達しているパラメータＭなし）の場合、演出制御用ＣＰＵ３１ａは、ステップＳ３０１を肯定判定した一方で、ステップＳ３０２を否定判定したことに基づいて、テーブルＴ４（図９（ａ））を選択する（ステップＳ３０５）。その後、演出制御用ＣＰＵ３１ａは、ステップＳ３０４に移行する。
【０１１８】
一方、ステップＳ３０１の判定結果が否定（１３Ｒ確変大当り又は７Ｒ確変大当りを指示する先読みコマンドが記憶されていない）の場合、演出制御用ＣＰＵ３１ａは、２Ｒ確変大当り又は２Ｒ非確変大当りを指示する先読みコマンドが記憶されているか否かを判定する（ステップＳ３０６）。ステップＳ３０６の判定結果が肯定の場合、演出制御用ＣＰＵ３１ａは、ステップＳ３０２と同じく、変動方向決定処理の実行時において、パラメータＭ１〜Ｍ３のうち何れかのパラメータがＭＡＸ値に到達しているか否かを判定する（ステップＳ３０７）。
【０１１９】
ステップＳ３０７の判定結果が肯定の場合、演出制御用ＣＰＵ３１ａは、ステップＳ３０６及びステップＳ３０７を肯定判定したことに基づいて、テーブルＴ２（図８（ｂ））を選択する（ステップＳ３０８）。その後、演出制御用ＣＰＵ３１ａは、ステップＳ３０４に移行する。一方、ステップＳ３０７の判定結果が否定（ＭＡＸ値に到達しているパラメータＭなし）の場合、演出制御用ＣＰＵ３１ａは、ステップＳ３０６を肯定判定した一方で、ステップＳ３０７を否定判定したことに基づいて、テーブルＴ５（図９（ｂ））を選択する（ステップＳ３０９）。その後、演出制御用ＣＰＵ３１ａは、ステップＳ３０４に移行する。
【０１２０】
また、ステップＳ３０６の判定結果が否定の場合、演出制御用ＣＰＵ３１ａは、ステップＳ３０２，Ｓ３０７と同じく、変動方向決定処理の実行時において、パラメータＭ１〜Ｍ３のうち何れかのパラメータがＭＡＸ値に到達しているか否かを判定する（ステップＳ３１０）。ステップＳ３１０の判定結果が肯定の場合、演出制御用ＣＰＵ３１ａは、ステップＳ３０６を否定判定した一方で、ステップＳ３１０を肯定判定したことに基づいて、テーブルＴ３（図８（ｃ））を選択する（ステップＳ３１１）。その後、演出制御用ＣＰＵ３１ａは、ステップＳ３０４に移行する。一方、ステップＳ３１０の判定結果が否定（ＭＡＸ値に到達しているパラメータＭなし）の場合、演出制御用ＣＰＵ３１ａは、変動方向決定処理の実行時における大当り抽選の抽選確率が低確率状態であるか否かを判定する（ステップＳ３１２）。ステップＳ３１２において演出制御用ＣＰＵ３１ａは、演出制御用ＲＡＭ３１ｃに設定した情報（フラグなど）から現在の抽選確率を把握する。
【０１２１】
ステップＳ３１２の判定結果が肯定（低確率状態）の場合、演出制御用ＣＰＵ３１ａは、ステップＳ３１０を否定判定した一方で、ステップＳ３１２を肯定判定したことに基づいて、テーブルＴ５（図９（ｂ））を選択する（ステップＳ３１３）。その後、演出制御用ＣＰＵ３１ａは、ステップＳ３０４に移行する。一方、ステップＳ３１２の判定結果が否定の場合（高確率状態）、演出制御用ＣＰＵ３１ａは、ステップＳ３１０及びステップＳ３１２を否定判定したことに基づいて、テーブルＴ６（図９（ｃ））を選択する（ステップＳ３１４）。その後、演出制御用ＣＰＵ３１ａは、ステップＳ３０４に移行する。
【０１２２】
ステップＳ３０４に移行した演出制御用ＣＰＵ３１ａは、選択したテーブルの中から、指示された変動パターンの種類に基づいて、パラメータＭの変動方向（維持、上昇、減少、補正）を決定する。そして、変動方向を決定した演出制御用ＣＰＵ３１ａは、その変動方向の種類を判別可能となるように演出制御用ＲＡＭ３１ｃに記憶し、変動方向決定処理を終了する。
【０１２３】
このような制御を実行することにより、独立パラメータ変化演出では、大当りとなる先読みコマンドが存在していないことにより、最も遅く記憶された始動保留球の事前判定結果に従ってそれより前の始動保留球に基づく図柄変動ゲームにおけるゲージ値の変動方向を決定する必要がない。したがって、大当りとなる先読みコマンドが記憶されていない場合に参照されるテーブルを用いて各図柄変動ゲームのゲージ値の変動方向が決定される。その一方で、関連パラメータ変化演出では、対象始動保留球に基づくゲームを含む当該ゲームに至るまでのゲージ値の変化態様を、対象始動保留球に基づく事前判定結果に従って決定している。これにより、最終回よりも前の図柄変動ゲームから、最終回の図柄変動ゲームで決定された大当りの種類を示唆させるような方向でゲージ値が変化し易くなる。
【０１２４】
そして、本実施形態では、ゲージ値がＭＡＸ値に到達しているか否かに応じてテーブルを設定している。したがって、例えば、事前判定によって「１３Ｒ確変大当り」が判定され、かつ先読みコマンドが記憶されているときのゲージ値がＭＡＸ値に到達していない場合、関連パラメータ変化演出の対象となる最初の図柄変動ゲームでは、テーブルＴ４（図９（ａ））からゲージ値の変動方向が決定されることになる。そして、関連パラメータ変化演出の対象となる最初の図柄変動ゲームでゲージ値がＭＡＸ値に到達したとすると、次の図柄変動ゲームからは、テーブルＴ１（図８（ａ））からゲージ値の変動方向が決定される。そして、関連パラメータ変化演出の対象となる最終回の図柄変動ゲームが終了した場合、ＭＡＸ値の有無及び大当り抽選の抽選確率に応じて、先読みコマンドが記憶されていない場合に参照されるテーブルＴ３，Ｔ５，Ｔ６のうちいずれかのテーブルからゲージ値の変動方向が決定されることになる。
【０１２５】
次に、テーブルＴ７を用いて変化対象パラメータを決定する変化対象決定処理について図１６に従って説明する。
まず、演出制御用ＣＰＵ３１ａは、図１４に示す変動方向決定処理のステップＳ３０４で決定した変動方向を演出制御用ＲＡＭ３１ｃから読み出し、その値が「維持」を示す値であるか否かを判定する（ステップＳ４００）。ステップＳ４００の判定結果が肯定（パラメータＭの変動方向＝「維持」）の場合、変化対象とするパラメータＭを決定することなく（テーブルＴ７において「変化無し」を選択する）、変化対象決定処理を終了する。一方、ステップＳ４００の判定結果が否定の場合、演出制御用ＣＰＵ３１ａは、ステップＳ４００と同じ手順にて、ステップＳ３０４で決定した変動方向が「補正」であったか否かを判定する（ステップＳ４０１）。ステップＳ４０１の判定結果が肯定の場合、演出制御用ＣＰＵ３１ａは、ＭＡＸ値に到達しているパラメータＭが存在しているか否かを判定する（ステップＳ４０１ａ）。ステップＳ４０１ａの判定結果が肯定の場合、演出制御用ＣＰＵ３１ａは、ＭＡＸ値に到達しているパラメータＭの種類に応じて、変化対象パラメータを決定する（ステップＳ４０２）。このとき、演出制御用ＣＰＵ３１ａは、ＭＡＸ値に到達しているパラメータＭが存在しているときには、そのパラメータＭを補正態様として必ず決定するが、ＭＡＸ値に到達していないパラメータＭも補正対象として決定する場合もある（図１０参照）。
【０１２６】
一方、ステップＳ４０１ａの判定結果が否定の場合、演出制御用ＣＰＵ３１ａは、変動方向として「減少」が決定された場合と同じく、各パラメータＭ１〜Ｍ３におけるゲージ値の大小に応じて、変化対象パラメータを決定する（ステップＳ４０２ａ）。その後、演出制御用ＣＰＵ３１ａは、決定した変化対象パラメータの種類を判別可能となるように演出制御用ＲＡＭ３１ｃに記憶し、変化対象決定処理を終了する。
【０１２７】
一方、ステップＳ４０１の判定結果が否定の場合、演出制御用ＣＰＵ３１ａは、ステップＳ４００，Ｓ４０１と同じ手順にて、ステップＳ３０４で決定した変動方向が「減少」であったか否かを判定する（ステップＳ４０３）。ステップＳ４０３の判定結果が肯定の場合、演出制御用ＣＰＵ３１ａは、ＭＡＸ値に到達しているパラメータＭの有無を問わず、各パラメータＭ１〜Ｍ３におけるゲージ値の大小に応じて、変化対象パラメータを決定する（ステップＳ４０４）。このとき、演出制御用ＣＰＵ３１ａは、最もゲージ値の大きいパラメータＭを減少対象として決定し易い一方で、最もゲージ値の小さいパラメータＭを減少対象として決定し難い（図１０参照）。その後、演出制御用ＣＰＵ３１ａは、決定した変化対象パラメータの種類を判別可能となるように演出制御用ＲＡＭ３１ｃに記憶し、変化対象決定処理を終了する。
【０１２８】
一方、ステップＳ４０３の判定結果が否定の場合、演出制御用ＣＰＵ３１ａは、ステップＳ４００，Ｓ４０１，Ｓ４０３と同じ手順にて、ステップＳ３０４（図１５）で決定した変動方向が「上昇」であったか否かを判定する（ステップＳ４０５）。ステップＳ４０５の判定結果が肯定の場合、演出制御用ＣＰＵ３１ａは、ＭＡＸ値に到達しているパラメータＭの有無を問わず、各パラメータＭ１〜Ｍ３におけるゲージ値の大小に応じて、変化対象パラメータを決定する（ステップＳ４０６）。このとき、演出制御用ＣＰＵ３１ａは、最もゲージ値の小さいパラメータＭを上昇対象として決定し易い一方で、最もゲージ値の大きいパラメータＭを上昇対象として決定し難い（図１０参照）。その後、演出制御用ＣＰＵ３１ａは、決定した変化対象パラメータの種類を判別可能となるように演出制御用ＲＡＭ３１ｃに記憶し、変化対象決定処理を終了する。
【０１２９】
次に、テーブルＴ８〜Ｔ１０を用いて変化後のゲージ値を決定する変化量決定処理について図１７に従って説明する。
まず、演出制御用ＣＰＵ３１ａは、図１６に示す変化対象決定処理のステップＳ４０２，Ｓ４０２ａ，Ｓ４０４，Ｓ４０６で決定した変化対象を演出制御用ＲＡＭ３１ｃから読み出し、その値が「攻撃力パラメータＭ１」を示す値であるか否かを判定する（ステップＳ５００）。なお、ステップＳ５００は、変化対象パラメータとして攻撃力パラメータＭ１のみを決定した場合に限られず、変化対象パラメータとして攻撃力パラメータＭ１を含む複数のパラメータＭを決定した際にも肯定判定される。ステップＳ５００の判定結果が肯定（変化対象パラメータ＝パラメータＭ１）の場合、演出制御用ＣＰＵ３１ａは、テーブルＴ８（図１１）を選択する（ステップＳ５０１）。その後、演出制御用ＣＰＵ３１ａは、ステップＳ５０２に移行する。一方、ステップＳ５００の判定結果が否定（変化対象パラメータ≠パラメータＭ１）の場合、演出制御用ＣＰＵ３１ａは、ステップＳ５０２に移行する。
【０１３０】
ステップＳ５０２に移行した演出制御用ＣＰＵ３１ａは、ステップＳ５００と同じ手順にて、ステップＳ４０２，Ｓ４０２ａ，Ｓ４０４，Ｓ４０６（図１６）で決定した変化対象パラメータが「防御力パラメータＭ２」であったか否かを判定する。なお、ステップＳ５０２は、変化対象パラメータとして防御力パラメータＭ２のみを決定した場合に限られず、変化対象パラメータとして防御力パラメータＭ２を含む複数のパラメータＭを決定した際にも肯定判定される。ステップＳ５０２の判定結果が肯定の場合、演出制御用ＣＰＵ３１ａは、テーブルＴ９（図１２）を選択する（ステップＳ５０３）。その後、演出制御用ＣＰＵ３１ａは、ステップＳ５０４に移行する。一方、ステップＳ５０２の判定結果が否定（変化対象パラメータ≠パラメータＭ２）の場合、演出制御用ＣＰＵ３１ａは、ステップＳ５０４に移行する。
【０１３１】
ステップＳ５０４に移行した演出制御用ＣＰＵ３１ａは、ステップＳ５００，Ｓ５０２と同じ手順にて、ステップＳ４０２，Ｓ４０２ａ，Ｓ４０４，Ｓ４０６（図１６）で決定した変化対象パラメータが「体力パラメータＭ３」であったか否かを判定する。なお、ステップＳ５０４は、変化対象パラメータとして体力パラメータＭ３のみを決定した場合に限られず、変化対象パラメータとして体力パラメータＭ３を含む複数のパラメータＭを決定した際にも肯定判定される。ステップＳ５０４の判定結果が肯定の場合、演出制御用ＣＰＵ３１ａは、テーブルＴ１０（図１３）を選択する（ステップＳ５０５）。その後、演出制御用ＣＰＵ３１ａは、ステップＳ５０６に移行する。一方、ステップＳ５０４の判定結果が否定（変化対象パラメータ≠パラメータＭ３）の場合、演出制御用ＣＰＵ３１ａは、ステップＳ５０６に移行する。
【０１３２】
ステップＳ５０６に移行した演出制御用ＣＰＵ３１ａは、選択したテーブルの中から、決定した変動方向と現在のゲージ値に基づいて、変化後のゲージ値を決定する。ちなみに、変化対象決定処理（図１６）において変化対象パラメータとして複数種類のパラメータＭを決定した場合、演出制御用ＣＰＵ３１ａは、その対象パラメータにおけるゲージ値の変化量をそれぞれ決定することになる。
【０１３３】
ステップＳ５０６において変化後のゲージ値を決定した演出制御用ＣＰＵ３１ａは、実行中フラグの設定値にかかわらず、今回の図柄変動ゲームが１３Ｒ確変大当り又ははずれとなるゲームか否かを判定する（ステップＳ５０７）。つまり、本実施形態では、対象始動保留球よりも前に大当りとなる始動保留球が存在する場合、対象始動保留球よりも前の始動保留球に基づく大当り遊技の開始とともに先読みコマンドがリセットされるため、実質的に、その大当りとなるゲームが関連パラメータ変化演出を伴って実行される最終回の図柄変動ゲームとなる。ただし、本実施形態では、このような状況となる確率は極めて低い。そして、ステップＳ５０７の判定結果が肯定の場合、演出制御用ＣＰＵ３１ａは、ステップＳ５０６で決定した変化後のゲージ値を現在のゲージ値に上書きした後、変化量決定処理を終了する。つまり、今回の図柄変動ゲームが１３Ｒ確変大当り又ははずれとなるゲームである場合、ステップＳ５０６で決定した値が変化後のゲージ値として反映されることになる。
【０１３４】
したがって、関連パラメータ変化演出を伴って実行される最終回の図柄変動ゲームよりも前の図柄変動ゲームでＭＡＸ値に到達しているパラメータＭが存在しているとともに（例えば２つ）、最終回の図柄変動ゲーム（１３Ｒ確変大当り）で残りのパラメータＭのゲージ値をＭＡＸ値とすることが決定されたとする。この場合、全てのパラメータＭのゲージ値がＭＡＸ値に到達した状態でリーチ演出が実行されることになる。同様に、関連パラメータ変化演出を伴って実行される最終回の図柄変動ゲームよりも前の図柄変動ゲームでＭＡＸ値に到達しているパラメータＭが存在せず、最終回の図柄変動ゲーム（１３Ｒ確変大当り）で全てのパラメータＭのゲージ値をＭＡＸ値とすることが決定されたとする。この場合も、全てのパラメータＭのゲージ値がＭＡＸ値に到達した状態でリーチ演出が実行されることになる。また、はずれとなる図柄変動ゲームにおいても、ステップＳ５０６で決定した値が変化後のゲージ値として反映されることになる。したがって、関連パラメータ変化演出を伴って実行される最終回よりも前の図柄変動ゲームでＭＡＸ値に到達する場合もあり得る。
【０１３５】
一方、ステップＳ５０７の判定結果が否定の場合、演出制御用ＣＰＵ３１ａは、実行中フラグの設定値にかかわらず、今回の図柄変動ゲームが７Ｒ確変大当りとなるゲームか否かを判定する（ステップＳ５０８）。ステップＳ５０８の判定結果が肯定の場合、演出制御用ＣＰＵ３１ａは、今回の図柄変動ゲームで変化対象として決定したパラメータＭの決定結果によって、全てのパラメータＭのゲージ値が「ＭＡＸ値」となったか否かを判定する（ステップＳ５０９）。ステップＳ５０９の判定結果が否定の場合、演出制御用ＣＰＵ３１ａは、ステップＳ５０６で決定した変化後のゲージ値を現在のゲージ値に上書きした後、変化量決定処理を終了する。つまり、今回の図柄変動ゲームで全てのパラメータＭのゲージ値を「ＭＡＸ値」とすることを決定していないのであれば、ステップＳ５０６で決定した値が変化後のゲージ値として反映されることになる。したがって、ＭＡＸ値に到達しているパラメータＭが１個又は２個存在する場合もあり得る。一方、ステップＳ５０９の判定結果が肯定の場合、演出制御用ＣＰＵ３１ａは、ＭＡＸ値調節処理を実行する（ステップＳ５１０）。
【０１３６】
ステップＳ５１０において演出制御用ＣＰＵ３１ａは、７Ｒ確変大当りに当選している場合、全てのパラメータＭにおいてゲージ値がＭＡＸ値に到達した状態でリーチ演出が実行されることがないように調節する。すなわち、演出制御用ＣＰＵ３１ａは、ステップＳ５０６において変化後ゲージ値として「１０」を決定した場合であっても、「１０」とすることを決定したパラメータＭのうち少なくとも１つのパラメータＭのゲージ値を強制的に「９」とする。
【０１３７】
例えば、今回の図柄変動ゲームにおける変化対象パラメータとして攻撃力パラメータＭ１及び防御力パラメータＭ２を決定するとともに（体力パラメータＭ３のゲージ値は問わない）、パラメータＭ１，Ｍ２の変化後ゲージ値として「１０」を決定したとする。この場合、演出制御用ＣＰＵ３１ａは、防御力パラメータＭ２における変化後ゲージ値を「９」に書き換えた後、変化量決定処理を終了する。したがって、少なくとも防御力パラメータＭ２がＭＡＸ値に到達していない状態でリーチ演出が実行されることになる。また、ステップＳ５１０において演出制御用ＣＰＵ３１ａは、今回の図柄変動ゲームにおける変化対象パラメータとして攻撃力パラメータＭ１及び防御力パラメータＭ２のうち少なくともいずれか一方と体力パラメータＭ３を決定するとともに、各パラメータＭ１〜Ｍ３の変化後ゲージ値として「１０」を決定したとする。この場合、演出制御用ＣＰＵ３１ａは、体力パラメータＭ３における変化後ゲージ値を「９」に書き換えた後、変化量決定処理を終了する。したがって、少なくとも体力パラメータＭ３がＭＡＸ値に到達していない状態でリーチ演出が実行されることになる。
【０１３８】
なお、ステップＳ５１０では、既にＭＡＸ値に到達しているパラメータＭが存在している状況下において今回の図柄変動ゲームで残りのパラメータＭのゲージ値を「１０」とすることを決定した場合、今回決定したパラメータＭのゲージ値を強制的に「９」とした後、変化量決定処理を終了することになる。
【０１３９】
その一方で、ステップＳ５０８の判定結果が否定の場合、今回の図柄変動ゲームが２Ｒ確変大当り又は２Ｒ非確変大当りとなるゲームとなる。したがって、演出制御用ＣＰＵ３１ａは、今回の図柄変動ゲームで変化対象として決定したパラメータＭの決定結果によって、パラメータＭのゲージ値が１つでも「ＭＡＸ値」となったか否かを判定する（ステップＳ５１１）。ステップＳ５１１の判定結果が否定の場合、演出制御用ＣＰＵ３１ａは、ステップＳ５０６で決定した変化後のゲージ値を現在のゲージ値に上書きした後、変化量決定処理を終了する。つまり、今回の図柄変動ゲームでパラメータＭのゲージ値を１つでも「ＭＡＸ値」とすることを決定していないのであれば、ステップＳ５０６で決定した値が変化後のゲージ値として反映されることになる。したがって、パラメータＭのゲージ値がＭＡＸ値に到達した状態でリーチ演出が実行されることがない。ちなみに、対象始動保留球が存在している状況下において２Ｒ確変大当り又は２Ｒ非確変大当りに当選している場合、ゲージ値の変動方向として必ず「補正」が選択されるように設定しているので、ＭＡＸ値に到達した状態でリーチ演出が実行されることがない。一方、ステップＳ５１１の判定結果が肯定の場合、演出制御用ＣＰＵ３１ａは、ＭＡＸ値調節処理を実行する（ステップＳ５１２）。
【０１４０】
ステップＳ５１２において演出制御用ＣＰＵ３１ａは、２Ｒ確変大当り又は２Ｒ非確変大当りに当選している場合、ゲージ値がＭＡＸ値に到達した状態でリーチ演出が実行されることがないように調節する。すなわち、演出制御用ＣＰＵ３１ａは、ステップＳ５０６において変化後ゲージ値として「１０」を決定した場合であっても、「１０」とすることを決定したパラメータＭのゲージ値を強制的に「９」とする。
【０１４１】
したがって、パラメータＭ１〜Ｍ３の値がＭＡＸ値となってリーチ演出が実行された際には、１３Ｒ確変大当りに当選していることが確定的に示唆されることになる。言い換えると、７Ｒ確変大当り当選時に「上昇」が選択されたことによって、パラメータＭ１〜Ｍ３の値をＭＡＸ値とすることが決定されたとしても、必ずいずれか１つのパラメータＭ１〜Ｍ３のうちいずれかがＭＡＸ値未満となるように調節される。つまり、本実施形態の関連パラメータ変化演出では、ＭＡＸ値に到達した状態でリーチ演出が実行されるか否かによって、付与される大当りの種類への期待度が変わることになる。
【０１４２】
そして、演出制御用ＣＰＵ３１ａは、変短状態中、図柄変動ゲームを実行させる度に図１４〜図１７に示す処理を実行するとともに、決定した事項を新たに上書きすることで、パラメータ変化演出を図柄変動ゲーム毎に異なる態様で実行させることになる。本実施形態では、パラメータ変化演出を実行させる演出制御用ＣＰＵ３１ａが、制御手段として機能する。
【０１４３】
以下、演出表示装置１１にて実行されるパラメータ変化演出の流れについて図１８及び図１９に従って説明する。
なお、図１８では、図柄変動ゲームの実行中に入球した遊技球が保留記憶数「３」として記憶されるとともに、１３Ｒ確変大当りとなることを前提としている。一方、図１９では、図柄変動ゲームの実行中に入球した遊技球が保留記憶数「３」として記憶されるとともに、２Ｒ確変大当りとなることを前提としている。また、図１８及び図１９では、実行中の図柄変動ゲームにおける各パラメータＭ１〜Ｍ３のゲージ値は、それぞれパラメータＭ１が「５」、パラメータＭ２が「４」、パラメータＭ３が「５」であるとする。また、図１８において、保留記憶数「１」「２」に基づく図柄変動ゲームがはずれとなり、かつはずれ変動用の変動パターンＰ４が選択されたことを前提とする。一方、図１９において、保留記憶数「１」に基づく図柄変動ゲームでは、はずれ変動用の変動パターンＰ４が選択される一方で、保留記憶数「２」に基づく図柄変動ゲームでは、はずれ変動用の変動パターンＰ５が選択されることを前提とする。
【０１４４】
実行中の図柄変動ゲームの終了後（図１８（ａ））、最先に記憶された始動保留球に基づく図柄変動ゲームが開始される（図１８（ｂ））。このとき、１３Ｒ確変大当りを指示する先読みコマンドが記憶されているとともにＭＡＸ値に到達したパラメータＭが存在していないため、演出制御用ＣＰＵ３１ａは、テーブルＴ４（図９（ａ））の中から変動方向を決定する。前述したように、テーブルＴ４（ａ）では、変短状態中に最も選択され易い変動パターンＰ４が選択された際には、「上昇」が選択され易くなるように設定されていることにより、変動方向として「上昇」が決定されたとする。また、演出制御用ＣＰＵ３１ａは、変化対象パラメータとして攻撃力パラメータＭ１を決定するとともに（図１０）、変化後のゲージ値として「８」を決定したとする（図１１）。この場合、演出表示装置１１では、図柄の変動中に攻撃力パラメータＭ１のゲージ値が「５」から「８」に上昇する（図１８（ｃ））。これにより、遊技者は、パラメータＭ１におけるゲージ値の上昇によって１３Ｒ確変大当りとなることに期待を持つが、ＭＡＸ値に到達していないので、次変動の開始によってゲージ値がＭＡＸ値に到達することに期待を持つ。その後、変化後のゲージ値を維持したまま、図柄変動ゲームの終了に伴って図柄組み合わせが確定停止表示される（図１８（ｄ））。
【０１４５】
その後、シフト処理後の最先に記憶された始動保留球に基づく図柄変動ゲームが開始される（図１８（ｅ））。この場合も、変化後のゲージ値がＭＡＸ値に到達していないため、演出制御用ＣＰＵ３１ａは、テーブルＴ４（図９（ａ））の中から変動方向を決定する（「上昇」を決定したとする）。また、演出制御用ＣＰＵ３１ａは、変化対象パラメータとして防御力パラメータＭ２を決定するとともに（図１０）、変化後のゲージ値として「６」を決定したとする（図１２）。この場合、演出表示装置１１では、図柄の変動中に防御力パラメータＭ２のゲージ値が「４」から「６」に上昇する（図１８（ｆ））。これにより、遊技者は、パラメータＭ２におけるゲージ値の上昇によって１３Ｒ確変大当りとなることに期待を持つが、ＭＡＸ値に到達していないので、次変動の開始によってゲージ値がＭＡＸ値に到達することに期待を持つことになる。さらに、１回目の変動でパラメータＭ１のゲージ値が上昇し、２回目の変動でパラメータＭ２のゲージ値が上昇したことにより、次変動の開始によって２つ以上のパラメータＭでゲージ値がＭＡＸ値に到達することに期待を持つ。その後、変化後のゲージ値を維持したまま、図柄変動ゲームの終了に伴って図柄組み合わせが確定停止表示される（図１８（ｇ））。
【０１４６】
その後、シフト処理後の最先に記憶された始動保留球に基づく図柄変動ゲームが開始される（図１８（ｈ））。この場合も、変化後のゲージ値がＭＡＸ値に到達していないため、演出制御用ＣＰＵ３１ａは、テーブルＴ４（図９（ａ））の中から変動方向を決定する。前述したように、テーブルＴ４（図９（ａ））では、変動パターンＰ６が選択された際には、「上昇」が選択され易くなるように設定されていることにより、変動方向として「上昇」が決定されたとする。これにより、関連パラメータ変化演出が終了する最終回の図柄変動ゲームの開始時にＭＡＸ値に到達していなかったとしても、最終回の図柄変動ゲームでＭＡＸ値に到達し易くなる。
【０１４７】
また、演出制御用ＣＰＵ３１ａは、変化対象パラメータとして攻撃力パラメータＭ１及び防御力パラメータＭ２を決定するとともに（図１０）、変化後のゲージ値としてそれぞれ「１０（ＭＡＸ値）」を決定したとする（図１１及び図１２）。この場合、演出表示装置１１では、図柄の変動中に攻撃力パラメータＭ１及び防御力パラメータＭ２のゲージ値がそれぞれ「１０」に上昇する（図１８（ｉ））。これにより、遊技者は、パラメータＭ１，Ｍ２のゲージ値がＭＡＸ値に到達したことにより、ＭＡＸ値からゲージ値が変化することなく、リーチ演出が開始されることを期待する。その後、変化後のゲージ値を維持したまま、リーチ演出が開始される。つまり、遊技者が期待したとおり、ＭＡＸ値を維持したままリーチ演出が実行されたことにより、この時点で大当りとなること及び当選した大当りの種類が１３Ｒ確変大当り又は７Ｒ確変大当りであることが示唆されることになる。その後、図柄変動ゲームの終了に伴って大当りの図柄組み合わせが確定停止表示され（図１８（ｊ））、１３Ｒ確変大当り遊技が付与される。
【０１４８】
したがって、図１８（ａ）〜（ｊ）に示すように、関連パラメータ変化演出が終了する最終回の図柄変動ゲームが１３Ｒ確変大当りとなる場合、最終回よりも前の図柄変動ゲームからゲージ値が上昇し易くなる。なお、２Ｒ確変大当り又は２Ｒ非確変大当りに当選している場合、最終回よりも前の図柄変動ゲームでゲージ値がＭＡＸ値に到達したとしても、最終回の図柄変動ゲームでゲージ値がＭＡＸ値から減少する。
【０１４９】
また、図１９では、図１８（ａ），（ｂ）と同じ流れで図柄変動ゲームが開始される（図１９（ａ），（ｂ））。このとき、２Ｒ確変大当りを指示する先読みコマンドが記憶されているとともにＭＡＸ値に到達したパラメータＭが存在していないため、演出制御用ＣＰＵ３１ａは、テーブルＴ５（図９（ｂ））の中から変動方向を決定する。前述したように、テーブルＴ５（図９（ｂ））では、変短状態中に最も選択され易い変動パターンＰ４が選択された際には、「維持」が選択され易くなるように設定されていることにより、変動方向として「維持」が決定されたとする。この場合、演出表示装置１１では、各パラメータＭ１〜Ｍ３の値が変わらない（図１９（ｃ））。これにより、遊技者は、ＭＡＸ値に到達していないので、次変動の開始によってゲージ値がＭＡＸ値に到達することに期待を持つ。その後、図柄変動ゲームの終了に伴って図柄組み合わせが確定停止表示される（図１９（ｄ））。
【０１５０】
その後、シフト処理後の最先に記憶された始動保留球に基づく図柄変動ゲームが開始される（図１９（ｅ））。この場合も、変化後のゲージ値がＭＡＸ値に到達していないため、演出制御用ＣＰＵ３１ａは、テーブルＴ５（図９（ｂ））の中から変動方向を決定する。前述したように、テーブルＴ５（図９（ｂ））では、変動パターンＰ５が選択された際には、「上昇」にも乱数値を振分けているので、変動方向として「上昇」が決定されたとする。また、演出制御用ＣＰＵ３１ａは、変化対象パラメータとして攻撃力パラメータＭ１及び防御力パラメータＭ２を決定し（図１０）、攻撃力パラメータＭ１における変化後のゲージ値として「１０」を決定するとともに（図１１）、防御力パラメータＭ２における変化後のゲージ値として「５」を決定したとする（図１２）。この場合、演出表示装置１１では、図柄の変動中に攻撃力パラメータＭ１のゲージ値が「５」から「１０」に上昇するとともに、防御力パラメータＭ２のゲージ値が「４」から「５」に上昇する（図１９（ｆ））。これにより、遊技者は、パラメータＭ１のゲージ値がＭＡＸ値に到達したことにより、当該図柄変動ゲームでリーチ演出が実行されることを期待する。または、遊技者は、パラメータＭ１のゲージ値がＭＡＸ値を維持したまま、次変動でパラメータＭ２，Ｍ３のゲージ値がＭＡＸ値に到達することを期待する。その後、変化後のゲージ値を維持したまま、図柄変動ゲームの終了に伴って図柄組み合わせが確定停止表示される（図１９（ｇ））。
【０１５１】
その後、シフト処理後の最先に記憶された始動保留球に基づく図柄変動ゲームが開始される（図１９（ｈ））。この場合、攻撃力パラメータＭ１における変化後のゲージ値がＭＡＸ値に到達したため、演出制御用ＣＰＵ３１ａは、テーブルＴ２（図８（ｂ））の中から変動方向を決定する。前述したように、テーブルＴ２（図８（ｂ））では、変動パターンＰ７が選択された際には、「補正」のみが選択されるように設定されているので、変動方向として「補正」が決定される。これにより、関連パラメータ変化演出が終了する最終回の図柄変動ゲームの開始時にＭＡＸ値に到達していたとしても、最終回の図柄変動ゲームでＭＡＸ値からゲージ値が減少されることになる。また、演出制御用ＣＰＵ３１ａは、変化対象パラメータとして攻撃力パラメータＭ１を決定するとともに（図１０）、変化後のゲージ値として「９」を決定したとする（図１１）。
【０１５２】
この場合、演出表示装置１１では、図柄の変動中に攻撃力パラメータＭ１のゲージ値が「１０」から「９」に補正される（図１９（ｉ））。これにより、遊技者は、パラメータＭ１のゲージ値がＭＡＸ値から減少したことにより、１３Ｒ確変大当り又は７Ｒ確変大当りに当選していることを確定的に認識することができなくなったが、全ての大当りに期待を持つことができる。その後、変化後のゲージ値を維持したまま、リーチ演出が実行され、図柄変動ゲームの終了に伴って大当りの図柄組み合わせが確定停止表示され（図１９（ｊ））、２Ｒ確変大当り遊技が付与される。つまり、図１９（ａ）〜（ｊ）に示すように、関連パラメータ変化演出が終了する最終回の図柄変動ゲームが２Ｒ確変大当りとなる場合、最終回よりも前の図柄変動ゲームからゲージ値が上昇し難くなる。
【０１５３】
したがって、本実施形態によれば、以下のような効果を得ることができる。
（１）演出制御用ＣＰＵ３１ａ（制御手段）は、関連パラメータ変化演出（指標変化演出）を実行させるに際し、事前判定結果が１３Ｒ確変大当り又は７Ｒ確変大当り（高有利度大当り）であった場合、その事前判定の対象となる対象始動保留球を関連パラメータ変化演出の変化対象として判定する。そして、演出制御用ＣＰＵ３１ａは、対象始動保留球に基づく図柄変動ゲームを含む当該ゲームに至るまでのゲージ値の変化として、事前判定結果が２Ｒ確変大当り又は２Ｒ非確変大当り（低有利度大当り）であった場合に比して、有利（パラメータＭをＭＡＸ値とすること）に推移させるようにした。これにより、関連パラメータ変化演出では、保留中の図柄変動ゲームで行われるゲージ値の変化が関連することになり、遊技者にとって有利な展開となることへの関心を、保留中の図柄変動ゲームを対象として段階的に変化させることで、指標情報の変化を最初から最後まで楽しませることができ、興趣の向上を図ることができる。
【０１５４】
（２）大当りとなる始動保留球が記憶されていない場合であっても、演出制御用ＣＰＵ３１ａが、大当りとなる事前判定結果を参照することなく各図柄変動ゲームにおいて独立した独立パラメータ変化演出を実行させることで、大当りとなる場合に実行される関連パラメータ変化演出と同じ態様で実行させることができる。これにより、ゲージ値（指標）が変化しただけでは大当りなのか否かを遊技者に気付かせ難くなり、保留中の図柄変動ゲームを対象として有利な特典が付与されることへの期待を段階的に高めることができる。
【０１５５】
（３）変短状態中は、はずれとなるリーチ演出を実行させないようにしているので、変短状態中にリーチ演出が実行されると大当りが確定する。そして、対決リーチ演出中にパラメータ変化演出を実行可能に構成したことにより、ゲージ値の増減やＭＡＸ値に到達したパラメータ数によって大当りの種類を示唆することができる。
【０１５６】
（４）１３Ｒ確変大当り又は７Ｒ確変大当りを指示する先読みコマンドが記憶されている場合、関連パラメータ変化演出を伴って実行される最終回の図柄変動ゲームでＭＡＸ値に到達可能となるように変動方向決定テーブルを設定した（図８（ａ）及び図９（ａ））。その一方で、２Ｒ確変大当り又は２Ｒ非確変大当りを指示する先読みコマンドが記憶されている場合、関連パラメータ変化演出を伴って実行される最終回の図柄変動ゲームでＭＡＸ値よりも少ないゲージ値を表示させるように変動方向決定テーブルを設定した（図８（ｂ）及び図９（ｂ））。これにより、関連パラメータ変化演出を伴って実行される最終回の図柄変動ゲームでパラメータＭがＭＡＸ値に到達しているか否かに応じて、遊技者にとって有利度の高い特典が付与されるか否かを推測させることができる。
【０１５７】
（５）１３Ｒ確変大当り又は７Ｒ確変大当りを指示する先読みコマンドが記憶されている場合、２Ｒ確変大当り又は２Ｒ非確変大当りを指示する先読みコマンドが記憶されている場合に比して、関連パラメータ変化演出を伴って実行される最終回の図柄変動ゲームにおいてＭＡＸ値に到達しているパラメータＭの個数が多くなるように設定した。これにより、関連パラメータ変化演出を伴って実行される最終回の図柄変動ゲームにおいていずれか１つでもＭＡＸ値に到達していたときには、その個数によってどの大当りとなるかに対して興味を持たせることができる。
【０１５８】
（６）１３Ｒ確変大当り又は７Ｒ確変大当りを指示する先読みコマンドが記憶されているとともに、ＭＡＸ値に到達しているパラメータＭが存在している場合、関連パラメータ変化演出を伴って実行される最終回の図柄変動ゲームでＭＡＸ値を維持させ易くなるように設定した。具体的には、テーブルＴ１（図８（ａ））において、変短状態中に最も選択され易い変動パターンＰ４に対して、ゲージ値の変動方向として「維持」が選択される割合が高くなるように設定した。一方、１３Ｒ確変大当り又は７Ｒ確変大当りを指示する先読みコマンドが記憶されているが、ＭＡＸ値に到達しているパラメータＭが存在していない場合、関連パラメータ変化演出を伴って実行される最終回の図柄変動ゲームに至るまでの間に、ゲージ値が上昇し易くなるように設定した。具体的には、テーブルＴ４（図９（ａ））において、変動パターンＰ４に対して、ゲージ値の変動方向として「上昇」が選択される割合が高くなるように設定した。また、２Ｒ確変大当り又は２Ｒ非確変大当りを指示する先読みコマンドが記憶されているとともに、ＭＡＸ値に到達しているパラメータＭが存在している場合、関連パラメータ変化演出を伴って実行される最終回の図柄変動ゲームでＭＡＸ値からゲージ値を減少させるように設定した。具体的には、テーブルＴ２（図８（ｂ））において、２Ｒ確変大当り又は２Ｒ非確変大当り当選時に選択される変動パターンＰ７に対して、ゲージ値の変動方向として「補正」のみが選択されるように設定した。一方、２Ｒ確変大当り又は２Ｒ非確変大当りを指示する先読みコマンドが記憶されているが、ＭＡＸ値に到達しているパラメータＭが存在していない場合、関連パラメータ変化演出を伴って実行される最終回の図柄変動ゲームに至るまでの間に、ゲージ値が上昇し難くなるように設定した。具体的には、テーブルＴ５（図９（ｂ））において、変動パターンＰ４に対して、ゲージ値の変動方向として「上昇」が選択される割合が低くなるように設定した。これにより、関連パラメータ変化演出を伴って実行される最終回の図柄変動ゲームで表示されるゲージ値の大小やＭＡＸ値に到達しているパラメータＭの個数などから、どの大当りとなるかに対して興味を持たせることができる。
【０１５９】
（７）また、２Ｒ確変大当り又は２Ｒ非確変大当り当選時には、パラメータＭのゲージ値をＭＡＸ値に到達した状態でリーチ演出が実行されることがないようにＭＡＸ値からゲージ値を減少させているので、ＭＡＸ値に到達した状態でリーチ演出が実行されたにもかかわらず、有利な大当りに当選しなかったと落胆させることがない。
【０１６０】
（８）パラメータ変化演出の実行時期を変短状態（開放時間増加状態）中としたことにより、変短状態中は始動保留球が累積され易いので、保留中の図柄変動ゲームを対象としてパラメータ変化演出を実行させることができ、パラメータ変化演出を最初から最後まで楽しませることができる。
【０１６１】
（９）対象始動保留球よりも前に記憶されている始動保留球が大当りとなる場合には、対象始動保留球よりも前の始動保留球の事前判定結果に基づいて関連パラメータ変化演出を実行させる。それとともに、対象始動保留球の事前判定結果を反映させることなく（先読みコマンドを設定することなく）、パラメータ変化演出を実行させるようにした。前に記憶されている始動保留球に基づく図柄変動ゲームが遊技者にとって有利度の高い大当りであるにもかかわらず、後で記憶された始動保留球に基づく図柄変動ゲームが遊技者にとって有利度の低い大当りである場合に、先読みコマンドを上書きして関連パラメータ変化演出を実行させたとする。このような場合、一度ゲージ値が上昇したにもかかわらず、最終的にはゲージ値が減少して、有利度の低い大当りに当選していることが報知されることになる。このような場合、遊技者に混乱を与えてしまうことになるが、対象始動保留球よりも前の始動保留球の事前判定結果に基づいてゲージ値を変化させることで、遊技者の混乱を招くことがない。
【０１６２】
（１０）変化量決定テーブルＴ８〜Ｔ１０（図１１〜図１３）において、変化後のゲージ値を選択させるための乱数値の個数を異ならせた。具体的には、テーブルＴ８では１３１種類の乱数を用いる一方で、テーブルＴ９では１３９種類の乱数を用いており、さらにテーブルＴ１０では１５７種類の乱数を用いるようにした。これにより、各テーブルにおける乱数の更新タイミングがずれることになり、同一タイミングで各種乱数を選択したとしても、取得される値に差が生じることになるので、３つのパラメータ値の変化値を同期させにくく、遊技者に飽きさせない演出とすることができる。
【０１６３】
（１１）２Ｒ確変大当り又は２Ｒ非確変大当りに当選しているとともに、関連パラメータ変化演出を伴って実行される最終回の図柄変動ゲームで、変動方向として「上昇」が決定された際の変化後のゲージ値として「１０」が決定された場合、ＭＡＸ値調節処理を実行するようにした。これにより、２Ｒ確変大当り又は２Ｒ非確変大当りの当選時に「上昇」が決定されたとしても、関連パラメータ変化演出を伴って実行される最終回の図柄変動ゲームで、ＭＡＸ値を維持したままリーチ演出を実行させることがない。また、ＭＡＸ値調節処理で決定した値をＭＡＸ値に上書きするので、関連パラメータ変化演出を伴って実行される最終回の図柄変動ゲームで、ＭＡＸ値に到達した後すぐにゲージ値が減少するという不自然な態様でゲージ値が変化することがないので、違和感を与えることがない。
【０１６４】
（１２）１３Ｒ確変大当りに当選している場合であっても、必ずしもＭＡＸ値に到達するわけではないので、ＭＡＸ値に到達していなくても、全ての大当りに期待を持たせることができる。
【０１６５】
（１３）１３Ｒ確変大当りに当選している場合、全てのパラメータＭにおいてＭＡＸ値に到達した状態でリーチ演出を実行可能としたことにより、ＭＡＸ値への到達に対して優越感を与えることができる。
【０１６６】
（１４）独立パラメータ変化演出でも関連パラメータ変化演出でも、各図柄変動ゲームにおいてゲージ値の変動が完結するため、保留中の全図柄変動ゲームを対象始動保留球に基づく図柄変動ゲームに関連付けて関連パラメータ変化演出を実行させたとしても、その違いを見分けさせ難い。
【０１６７】
（１５）パラメータ変化演出と対決リーチ演出の演出内容を関連付けることにより、演出に統一感を持たせることができる。すなわち、パラメータＭがＭＡＸ値に近づくほど対決リーチ演出において敵キャラクタを倒し易い、すなわち、有利な大当りに当選していることに対して期待を持たせることができる。
【０１６８】
（１６）関連パラメータ変化演出は、パラメータ変化演出の開始時における始動保留球の数に関係なく実行されるので、始動保留球が記憶されておらず、かつ今回実行させようとしている図柄変動ゲームが大当りとなる場合、ＭＡＸ値の有無に応じてパラメータＭの変化態様を異ならせることができる。
【０１６９】
なお、上記実施形態は以下のように変更しても良い。
・  実施形態において、後から決定された先読みコマンドで指示される大当りの種類が前に設定された先読みコマンドで指示される大当りの種類よりも有利である場合には、先読みコマンドの上書きを許可しても良い。この場合、大当り遊技の開始を契機に先読みコマンド及び実行フラグの値をリセットしないことになる。ただし、前に設定された先読みコマンドが高確率状態時に２Ｒ非確変大当りと判定された場合に出力されたコマンドであって、後に設定された先読みコマンドが高確率状態時に確変用判定値（特に非共通大当り判定値）によって１３Ｒ確変大当りと判定されたとする。この場合、２Ｒ非確変大当り遊技終了後に非確変状態が付与されるため、事前判定では、１３Ｒ確変大当りと判定されたが、実際の図柄変動ゲーム開始時には大当りと判定されないことになる。したがって、先読みコマンドの上書きは、大当り遊技の終了前後で遊技状態が変化しない場合に実行することが望ましい。
【０１７０】
・  本実施形態では、ゲージ値の変動方向として、「増加」及び「補正」があればよく、「減少」及び「維持」を省略しても良い。
・  実施形態において、変化量決定処理で変動方向決定処理を行っても良い。つまり、変化量を決定することによってパラメータＭの変動方向も決定されるため、変動方向決定処理を実行する必要がない。
【０１７１】
・  変化量決定テーブルＴ８〜Ｔ１０（図１１〜図１３）において、変化後のゲージ値を選択させるための乱数値の個数は、実施形態の値に限られない。
・  先読みコマンドの内容によって大当りの種類を把握できるため、実施形態における実行中フラグは、関連パラメータ変化演出の実行中か否かを示すだけの機能を持つフラグとしても良い。
【０１７２】
・  テーブルＴ５（図９（ｂ））は、２Ｒ確変大当り又は２Ｒ非確変大当りを指示する先読みコマンドが記憶されている場合、又は先読みコマンドが記憶されておらず、かつ図柄変動ゲーム実行時の抽選確率が低確率状態である場合のどちらかで参照される専用のテーブルとしても良い。
【０１７３】
・  実施形態におけるパラメータＭの数は、１つだけとしても良い。
・  実施形態において、関連パラメータ変化演出を実行させるか否かを演出制御基板３１において抽選で決定するようにしても良い。
【０１７４】
・  実施形態におけるパラメータ変化演出は、非変短状態中に実行されても良い。このような場合、大当り変動用の変動パターンＰ３が選択された場合のみ、実行させても良いし、はずれリーチ変動用の変動パターンＰ２又は大当り変動用の変動パターンＰ３が選択された場合に実行させるようにしても良い。
・  上記実施形態において、パラメータ変化演出の最終結果によって大当りか否かを示唆するようにしても良い。すなわち、大当りとなる場合にはＭＡＸ値に到達させることができるが、はずれとなる場合にはＭＡＸ値に到達させないようにしても良い。このような場合、変短状態中に選択されるはずれリーチ変動用の変動パターンを設定することが望ましい。
【０１７５】
・  上記実施形態において、パラメータ変化演出の最終結果によって確変大当りか否かを示唆するようにしても良い。すなわち、確変大当りとなる場合にはＭＡＸ値に到達させることができるが、非確変大当りとなる場合にはＭＡＸ値に到達させないようにしても良い。
【０１７６】
・  実施形態では、パラメータ変化演出によってラウンド数の多少や付与される変短状態の多少などを示唆するようにしても良い。
・  実施形態において、確定演出を設定しなくても良い。つまり、２Ｒ確変大当りや２Ｒ非確変大当り当選時にもゲージ値がＭＡＸ値に到達するように設定しても良い。
【０１７７】
・  実施形態における変短状態の付与回数を変更しても良い。例えば、１３Ｒ確変大当り又は７Ｒ確変大当りに当選した場合、確変状態の付与回数と同じく、次回大当り抽選に当選するまでの間、付与するようにしても良い。また、２Ｒ確変大当り又は２Ｒ非確変大当りに当選した際に付与される変短状態の付与回数も「５０回」に限られない。
【０１７８】
・  実施形態における大当りの種類を変更しても良い。
・  実施形態における指標変化演出を、パラメータ変化演出としたが、その変化態様によって期待度を変化させる内容であれば、どのような演出内容としても良い。例えば、パラメータの色を変化させる態様としても良いし、敵キャラクタを倒すためのアイテム数の増減などとしても良い。
【０１７９】
・  実施形態において、指標変化演出を、ランプの発光や音声によって行うようにしても良い。
・  上記実施形態において、演出表示装置１１は液晶ディスプレイ型としたが、ドットマトリクス型、有機ＥＬ型、プラズマディスプレイ型などとしても良く、これらを組み合わせた表示装置を用いても良い。
【０１８０】
・  本実施形態において、演出制御基板３１を、演出表示装置１１を制御する演出表示制御基板と、演出表示制御基板を制御するサブ統括制御基板とに分けても良い。
・  実施形態では、特別図柄と飾り図柄を用いるパチンコ遊技機に具体化したが、特別図柄のみを用いるパチンコ遊技機に具体化しても良い。
【０１８１】
次に、上記実施形態及び別例（変形例）から把握できる技術的思想について以下に追記する。
（イ）初期段階の指標情報から最終段階の指標情報を含む複数の指標情報を段階的に変化させることにより、遊技者にとって有利な特典が付与されることへの期待度の高低を示す指標変化演出を実行可能な遊技機において、図柄変動ゲームが大当りとなるか否か及び大当りとなる場合の大当りの種類に基づいて前記指標変化演出を実行させる制御手段と、を備え、前記特典には、大当り遊技終了後の大当り抽選の抽選確率を高確率状態とする確変状態が含まれ、前記制御手段は、前記図柄変動ゲームの変動内容がはずれとなる場合には、前記指標変化演出によって現在の遊技状態が前記確変状態であることへの期待度を示唆する一方で、前記図柄変動ゲームの変動内容が大当りとなる場合には、前記指標変化演出によって大当りの種類を示唆し、前記現在の遊技状態を示唆する指標変化演出と前記大当りの種類を示唆する指標変化演出は同一の演出内容であることを特徴とする遊技機。このように設定することで、大当り抽選の抽選確率と大当りの種類を同一の指標変化演出で遊技者に示唆することができる。これにより、指標変化演出が実行される図柄変動ゲームが大当りとならない場合であっても、指標変化演出の演出内容によって確変状態が付与されていることに対して期待を持たせることができる。
【符号の説明】
【０１８２】
１１…演出表示装置、１２…特別図柄表示装置、３０…主制御基板、３０ａ…主制御用ＣＰＵ、３０ｃ…主制御用ＲＡＭ、３１…演出制御基板、３１ａ…演出制御用ＣＰＵ。
【図１】
0005468510.tif 000002
【図２】
0005468510.tif 000003
【図３】
0005468510.tif 000004
【図４】
0005468510.tif 000005
【図５】
0005468510.tif 000006
【図６】
0005468510.tif 000007
【図７】
0005468510.tif 000008
【図８】
0005468510.tif 000009
【図９】
0005468510.tif 000010
【図１０】
0005468510.tif 000011
【図１１】
0005468510.tif 000012
【図１２】
0005468510.tif 000013
【図１３】
0005468510.tif 000014
【図１４】
0005468510.tif 000015
【図１５】
0005468510.tif 000016
【図１６】
0005468510.tif 000017
【図１７】
0005468510.tif 000018
【図１８】
0005468510.tif 000019
【図１９】
0005468510.tif 000020